(57)【要約】【課題】液体収容体や液体消費装置に対して変更部分が生じた場合でも、変更部分に対応して変更する部分を少なくできる技術を提供することを目的とする。【解決手段】液体消費装置に着脱可能に接続可能な液体収容体は、液体を収容可能な液体収容部と、液体収容部の液体を液体消費装置に流通させるための液体供給部と、液体供給部に接続され、把持可能なハンドル部と、を備え、ハンドル部と液体供給部とは、別部材で形成されている。【選択図】図１７Ａ
2019107901.tif 000002
【特許請求の範囲】
【請求項１】
液体消費装置に着脱可能に接続可能な液体収容体であって、
液体を収容可能な液体収容部と、
前記液体収容部の前記液体を前記液体消費装置に流通させるための液体供給部と、
前記液体供給部に接続され、把持可能なハンドル部と、を備え、
前記ハンドル部と前記液体供給部とは、別部材で形成されている、液体収容体。
【請求項２】
請求項１に記載の液体収容体であって、
前記液体供給部のうち少なくとも前記液体と接触する部分は、前記液体に対して耐性のある材料で形成されている、液体収容体。
【請求項３】
請求項１又は請求項２に記載の液体収容体であって、
前記ハンドル部のうち少なくとも液体供給部が直接に接続された部分は、耐変形性又は耐クリープ性に優れた材料で形成されている、液体収容体。
【請求項４】
請求項１から請求項３までのいずれか一項に記載の液体収容体であって、
更に、前記ハンドル部を挟んで前記液体供給部とは反対側に位置し、前記液体収容体が前記液体消費装置に接続される際に押圧される押圧部を備える、液体収容体。
【請求項５】
請求項４に記載の液体収容体であって、
前記ハンドル部と前記押圧部とは異なる部材で形成されている、液体収容体。
【請求項６】
請求項５に記載の液体収容体であって、
前記押圧部は、前記液体収容部に収容された前記液体の色を識別するための外観を呈している、液体収容体。
【請求項７】
請求項６に記載の液体収容体であって、
前記押圧部は、前記液体収容部に収容された前記液体の色で着色された識別部分を有する、液体収容体。
【請求項８】
請求項６又は請求項７に記載の液体収容体であって、
前記押圧部は、前記液体収容体を接続するために用いる液体消費装置の接続用部材と同じ色で着色された着色部分を有する、液体収容体。
【請求項９】
請求項１から請求項８までのいずれか一項に記載の液体収容体であって、
前記ハンドル部は、前記液体収容部によって生じる荷重を受けるための複数の支持部を有する、液体収容体。
【発明の詳細な説明】
【技術分野】
【０００１】
本発明は、液体消費装置に着脱可能に装着可能な液体収容体の技術に関する。
【背景技術】
【０００２】
従来、液体消費装置としてのプリンターに液体を供給するための技術として、液体を内部に収容した液体収容部と、液体収容部を収容するケースとを備える液体収容体が知られている（例えば、特許文献１〜３）。特許文献１の技術では、プリンターに対して引き出し可能に構成されたケースに液体収容部が収容される。また、特許文献２及び特許文献３の技術では、液体収容部全体を包囲するケースに液体収容部が収容され、液体収容部とケースとを含む液体収容体が液体消費装置に対して着脱自在に接続される。
【先行技術文献】
【特許文献】
【０００３】
【特許文献１】国際公開番号ＷＯ２００４／０３７５４１
【特許文献２】特開２００９−２７９８７６号公報
【特許文献３】特開２０１１−２３５６５２号公報
【発明の概要】
【発明が解決しようとする課題】
【０００４】
上記特許文献１〜３の技術では、液体収容袋はケースに収容された状態で液体消費装置に接続される。よって、以下に記載する様々な不具合が生じる場合があった。例えば、液体収容部の大きさや、液体収容部の形状や、液体収容部が収容する液体の量に変更が生じた場合、ケースの大きさや形状を液体収容部の変更に応じて変更する必要が生じ得る。また、液体収容部に収容する液体の特性に変更が生じた場合、液体収容部から液体が漏れ出す場合等に備えてケースも液体の特性に応じた材料に変更する必要が生じ得る。また、液体消費装置が備える液体収容体を装着する部分（カートリッジ装着部）に形状の変更等の設計変更が生じた場合、液体収容体のケースもその変更に対応させて変更する必要が生じ得る。このように、液体収容体や液体消費装置に対して変更部分が生じた場合、変更部分に対応させて他の部分も変更する必要が生じ得る。
【０００５】
従って、本発明は、液体収容体や液体消費装置に対して変更部分が生じた場合でも、変更部分に対応して変更する部分を少なくできる技術を提供することを目的とする。また、従来の技術において、低コスト化、省資源化、製造の容易化、使い勝手の向上等が望まれている。
【課題を解決するための手段】
【０００６】
本発明は、上述の課題の少なくとも一部を解決するためになされたものであり、以下の形態として実現することが可能である。
【０００７】
（１）本発明の一形態によれば、液体消費装置に着脱可能に接続可能な液体収容体が提供される。この液体収容体は、液体を収容可能な液体収容部と、前記液体収容部の前記液体を前記液体消費装置に流通させるための液体供給部と、前記液体供給部に接続され、把持可能なハンドル部と、を備え、前記ハンドル部と前記液体供給部とは、別部材で形成されている。
この形態の液体収容体によれば、ハンドル部と液体供給部とが別部材であるため、液体収容部に収容する液体の種類に変更が生じることで液体供給部の材料を変更する必要が生じた場合でも、ハンドル部の材料は変更する必要が無い。これにより、液体収容ユニットの一部に変更が生じた場合でも、その変更に対応して変更する他の部分を少なくできる。
【０００８】
（２）上記形態の液体収容体であって、前記液体供給部のうち少なくとも前記液体と接触する部分は、前記液体に対して耐性のある材料で形成されても良い。
この形態の液体収容体によれば、液体供給部が液体によって劣化（破損）する可能性を低減できる。
【０００９】
（３）上記形態の液体収容体であって、前記ハンドル部のうち少なくとも液体供給部が直接に接続された部分は、耐変形性または耐クリープ性に優れた材料で形成されていても良い。
液体供給部は液体消費装置に接続される重要な部分である。この形態の液体収容体によれば、直接に接続された部分（供給部接続部分）が耐変形性または耐クリープ性に優れた材料で形成されているので、供給部接続部分の変形が抑制される。これにより、供給部接続部分の変形に起因した液体供給部の位置ズレが抑制でき、液体供給部を液体消費装置に良好に接続できる。
【００１０】
（４）上記形態の液体収容体であって、更に、前記ハンドル部を挟んで前記液体供給部とは反対側に位置し、前記液体収容体が前記液体消費装置に接続される際に押圧される押圧部を備えていても良い。
この形態の液体収容体によれば、利用者が押圧部を押すことで液体供給部の液体消費装置への接続を容易にできる。
【００１１】
（５）上記形態の液体収容体であって、前記ハンドル部と前記押圧部とは異なる部材で構成されていても良い。
この形態の液体収容体によれば、ハンドル部と押圧部とが別部材により構成されていることで、ハンドル部の形状や大きさに拘わらず、押圧部の形状や面積を自由に設定できる。よって、押圧部の一部を液体収容部と重なるように配置することも可能となる。押圧部の一部を液体収容部と重なるように配置することで、限られたスペースを有効に利用して押圧部の外形を大きくしつつ、液体収容部の容積を一定以上に確保できる。
【００１２】
（６）上記形態の液体収容体であって、前記押圧部は、前記液体収容部に収容された前記液体の色を識別するための外観を呈していても良い。
この形態の液体収容体によれば、押圧部を視認することで液体収容体に収容されている液体の色を容易に識別できる。
【００１３】
（７）上記形態の液体収容体であって、前記押圧部は、前記液体収容部に収容された前記液体の色で着色された識別部分を有しても良い。
この形態の液体収容体によれば、着色部分を視認することで液体収容体部に収容されている液体の色を容易に識別できる。また、液体収容部に収容する液体の色に変更があった場合でも識別部分の色のみを変更すれば良い。
【００１４】
（８）上記形態の液体収容体であって、前記押圧部は、前記液体収容体を接続するために用いる液体消費装置の接続用部材と同じ色で着色された着色部分を有しても良い。
この形態の液体収容体によれば、着色部分を視認することで、液体収容体が対応する接続用部材を容易に識別できる。よって、本来装着されるべきではない異なる色を収容する液体収容体が誤って液体消費装置に接続される可能性を低減できる。
【００１５】
（９）上記形態の液体収容体であって、前記ハンドル部は、前記液体収容部によって生じる荷重を受けるための複数の支持部を有していても良い。
この形態の液体収容体によれば、ハンドル部にかかる荷重を複数の支持部によって分散できるため、ハンドル部の変形を抑制できる。これにより、液体供給部の位置ズレを抑制できるので、液体供給部と液体消費装置との接続を良好に行うことができる。
【００１６】
上述した本発明の各形態の有する複数の構成要素はすべてが必須のものではなく、上述の課題の一部又は全部を解決するため、あるいは、本明細書に記載された効果の一部又は全部を達成するために、適宜、前記複数の構成要素の一部の構成要素について、その変更、削除、新たな他の構成要素との差し替え、限定内容の一部削除を行うことが可能である。また、上述の課題の一部又は全部を解決するため、あるいは、本明細書に記載された効果の一部又は全部を達成するために、上述した本発明の一形態に含まれる技術的特徴の一部又は全部を上述した本発明の他の形態に含まれる技術的特徴の一部又は全部と組み合わせて、本発明の独立した一形態とすることも可能である。
【００１７】
例えば、本発明の一形態は、液体収容部と、液体供給部と、ハンドル部と、の複数の要素の内の１つ以上の要素を備えた装置としても実現可能である。すなわち、この装置は、液体収容部を有していても良く、有していなくても良い。また、この装置は、液体供給部を有していても良く、有していなくても良い。また、この装置は、ハンドル部を有していても良く、有していなくても良い。また、この装置は、連結部材を有していても良く、有していなくても良い。このような形態によれば、装置の小型化、低コスト化、省資源化、製造の容易化、使い勝手の向上等の種々の課題の少なくとも１つを解決することができる。また前述した液体収容体の各形態の技術的特徴の一部又は全部は、いずれもこの装置に適用することが可能である。
【００１８】
なお、本発明は、種々の形態で実現することが可能であり、例えば、液体収容体の他に、液体収容体の製造方法、液体収容体と液体消費装置とを備えて液体消費システム等の態様で実現することができる。
【図面の簡単な説明】
【００１９】
【図１】液体消費システムの概略構成を示す第１の斜視図である。
【図２】液体消費システムの概略構成を示す第２の斜視図である。
【図３】液体供給装置を説明するための第１の図である。
【図４】液体供給装置を説明するための第２の図である。
【図５】着脱ユニットを説明するための第１の斜視図である。
【図６】着脱ユニットを説明するための第２の斜視図である。
【図７】液体収容体の第１の斜視図である。
【図８】液体収容体の第２の斜視図である。
【図８Ａ】液体収容体の正面図である。
【図８Ｂ】液体収容体の背面図である。
【図９】液体収容体の一部分を示す第１の斜視図である。
【図１０】液体収容体の一部分を示す第２の斜視図である。
【図１１】液体収容体の一部分を示す第３の斜視図である。
【図１２】液体収容体の一部分を示す第４の斜視図である。
【図１３】液体収容体の一部分の正面図である。
【図１４】液体収容体の一部分の背面図である。
【図１５】液体収容体の一部分の上面図である。
【図１６】液体収容体の一部分の右側面図である。
【図１６Ａ】図１３のＦ１３−Ｆ１３断面図である。
【図１６Ｂ】回路基板の正面図である。
【図１６Ｃ】図１６Ｂの矢視Ｆ１６Ｂである。
【図１７Ａ】操作部材の第１の分解斜視図である。
【図１７Ｂ】操作部材の第２の分解斜視図である。
【図１７Ｃ】操作部材の背面図である。
【図１７Ｄ】液体収容体の正面図である。
【図１７Ｅ】図１７ＤのＦ１７Ｄａ−Ｆ１７Ｄａ部分断面図である。
【図１７Ｆ】図１７ＤのＦ１７Ｄｂ−Ｆ１７Ｄｂ部分断面図である。
【図１８】液体収容体が着脱ユニットにセットされた時の図である。
【図１９】図１８のＦ１８−Ｆ１８部分断面図である。
【図２０】液体収容体が着脱ユニットに装着された時の図である。
【図２１】図２０のＦ２０−Ｆ２０部分断面図である。
【発明を実施するための形態】
【００２０】
Ａ．実施形態：
Ａ−１．液体消費システムの構成：
図１は、液体消費システム１０００の概略構成を示す第１の斜視図である。図２は、液体消費システム１０００の概略構成を示す第２の斜視図である。図３は、液体供給装置２０を説明するための第１の図である。図４は、液体供給装置２０を説明するための第２の図である。なお、図３及び図４では、後述する液体収容体が取り外された状態を示している。図１〜図４には、互いに直交するＸＹＺ軸が描かれている。
【００２１】
図１に示すように、液体消費システム１０００は、液体消費装置としてのプリンター１０と、２つの液体供給装置２０とを備える。液体消費システム１０００の使用状態では、プリンター１０はＸ軸方向とＹ軸方向によって規定される水平な面に設置される。すなわち、Ｚ軸方向が鉛直方向（上下方向）となる。また、−Ｚ軸方向が鉛直下方向となり、＋Ｚ軸方向が鉛直上方向となる。液体供給装置２０は、プリンター１０に液体としてのインクを供給する。液体供給装置２０が備える液体収容体５０（液体収容体５０）は、プリンター１０に対して着脱可能に接続（装着）できる。
【００２２】
プリンター１０は、インクジェットプリンターである。プリンター１０は、記録機構１１と、給紙トレイ１６と、排出トレイ１７とを備える。給紙トレイ１６は、鉛直方向の異なる高さ位置に複数設けられている。給紙トレイ１６は、プリンター１０の装置第１面（装置前面）１０２に設けられている。給紙トレイ１６には、プリンター１０によって文字等の画像が印刷（記録）される記録媒体（例えば、用紙）が収容される。
【００２３】
記録機構１１は、インクを吐出する記録ヘッド（図示せず）を備える。記録ヘッドは、チューブ等の流通管を介して液体供給装置２０と連通している。記録ヘッドは、液体供給装置２０から供給されたインクを用いて記録媒体上にインクを吐出することで記録（印刷）を行う。記録された記録媒体は排出トレイ１７に排出される。
【００２４】
２つの液体供給装置２０は、プリンター１０の装置第１面（装置前面又は装置前壁とも呼ぶ）１０２と交差する装置第２面（装置第１側面又は装置第１側壁とも呼ぶ）１０４及び装置第３面（装置第２側面又は装置第２側壁とも呼ぶ）１０６に設けられている。装置第１面１０２〜装置第３面１０６はそれぞれ、プリンター１０の使用状態において設置面に対して略垂直な面である。装置第２面１０４と装置第３面１０６とは対向する。ここで、装置第２面１０４に設けられた液体供給装置２０を第１の液体供給装置２０Ａとも呼び、装置第３面１０６に設けられた液体供給装置２０を第２の液体供給装置２０Ｂとも呼ぶ。なお、第１と第２の液体供給装置２０Ａ，２０Ｂを区別することなく用いる場合は、単に液体供給装置２０と呼ぶ。
【００２５】
図１に示すように、第１の液体供給装置２０Ａは、１つのカバー部材２２と１つの液体収容体（液体収容袋ユニット）５０と、１つの着脱ユニット３０（図３）とを備える。図２に示すように、第２の液体供給装置２０Ｂは、１つのカバー部材２２と３つの液体収容体５０と、各液体収容体５０に対応した３つの着脱ユニット３０（図４）とを備える。ここで、２つのカバー部材２２を区別して用いる場合は、符号「２２Ａ」，「２２Ｂ」を用いる。また、４つの液体収容体５０を区別して用いる場合は、符号「５０Ｋ」，「５０Ｃ」，「５０Ｍ」，「５０Ｙ」を用いる。また、４つの着脱ユニット３０を区別して用いる場合は符号「３０Ｋ」，「３０Ｃ」，「３０Ｍ」，「３０Ｙ」を用いる。なお、カバー部材２２、液体収容体５０、着脱ユニット３０の個数は上記に限定されるものではない。例えば、液体収容体５０は３つ以下であっても良いし、５つ以上であっても良い。また、着脱ユニット３０は、液体収容体５０の個数に対応して設けられても良い。また、カバー部材２２は、１つであっても良いし、３つ以上であっても良い。
【００２６】
４つの液体収容体５０には、相互に異なる種類のインクが収容（充填）されている。本実施形態では、イエロー（Ｙ）、マゼンタ（Ｍ）、シアン（Ｃ）及びブラック（Ｋ）のインクが、それぞれ異なる液体収容体５０に収容されている。液体収容体５０Ｋはブラックのインクを収容した液体収容部を有し、液体収容体５０Ｃはシアンのインクを収容した液体収容部を有し、液体収容体５０Ｍはマゼンタのインクを収容した液体収容部を有し、液体収容体５０Ｙはイエローのインクを収容した液体収容部を有する。図３及び図４に示すように、液体収容体５０は、カバー部材２２で区画される収容空間部２６に収容される。具体的には、液体収容体５０Ｋは収容空間部２６Ａ（図３）に収容され、液体収容体５０Ｃ，５０Ｍ，５０Ｙは収容空間部２６Ｂ（図４）に収容される。
【００２７】
図３及び図４に示す着脱ユニット３０は、液体収容体５０を着脱自在に装着する。着脱ユニット３０Ｋはカバー部材２２Ａの内側に配置され、着脱ユニット３０Ｃ，３０Ｍ，３０Ｙはカバー部材２２Ｂの内側に配置されている。図３に示すように、着脱ユニット３０Ｋは、プリンター１０の装置第２面１０４に設けられている。図４に示すように、着脱ユニット３０Ｃ，３０Ｍ，３０Ｙは、プリンター１０の装置第３面１０６に設けられている。着脱ユニット３０に液体収容体５０が装着された場合、プリンター１０が備えるポンプ機能を有する供給機構（図示せず）によって液体収容体５０に収容されたインクがプリンター１０の記録ヘッドに供給される。
【００２８】
図３及び図４に示すように、カバー部材２２は、鉛直下方向側の一端部２３を支点として鉛直上方向側の他端部２４を回転させることで開閉自在に構成されている。液体収容体５０が収容するインクが消費された後は、利用者は、カバー部材２２を開いて消費された液体収容体５０を着脱ユニット３０から取り外す。そして、利用者は、新たな液体収容体５０を着脱ユニット３０に装着した後にカバー部材２２を閉じる。
【００２９】
Ａ−２．着脱ユニット３０の構成：
図５は、着脱ユニット３０を説明するための第１の斜視図である。図６は、着脱ユニット３０を説明するための第２の斜視図である。図５は、可動部材４０が固定部材３５に対し外方に突出した第１の状態（セット時状態）を示している。図６は、可動部材４０が固定部材３５に収容された第２の状態（装着時状態）を示している。図５及ぶ図６では、着脱ユニット３０Ｃを例に構成についての説明を行うが、他の着脱ユニット３０Ｋ，３０Ｍ，３０Ｙについても着脱ユニット３０Ｃと同様の構成を有する。図５に示すように、着脱ユニット３０は、固定部材３５と、可動部材４０とを備える。
【００３０】
液体収容体５０は、以下の２つの操作を実行することで着脱ユニット３０に装着される。液体収容体５０が着脱ユニット３０に装着された状態を「装着状態（接続状態）」とも呼ぶ。装着状態（接続状態）とは、後述する液体収容体５０の液体供給部５７（流通部５７）が着脱ユニット３０の液体導入部（液体導入針）３６２に接続され、かつ、液体収容体５０の回路基板５８２が着脱ユニット３０の電気接続部（装置側電気接続部）３８２と電気的に接続された状態である。装着状態では、液体収容体５０に収容されているインクがプリンター１０側に流通可能な状態となる。
・第１の操作：
利用者は、着脱ユニット３０を第１の状態にした後に、液体収容体５０を可動部材４０にセットする。
・第２の操作：
第１の操作後に、利用者は液体収容体５０を介して可動部材４０を固定部材３５側に押し進めることで着脱ユニット３０を第２の状態にする。
【００３１】
着脱ユニット３０の第２の状態では、可動部材４０はロック機構によって固定部材３５に対する＋Ｋ１軸方向側への移動が規制されている。なお、第２の状態において、可動部材４０を固定部材３５に対して内側方向（−Ｋ１軸方向）に押し付けることでロック機構によるロックが解除される。これにより、可動部材４０を固定部材３５に対して外方（＋Ｚ軸方向）に突出するように移動させて、着脱ユニット３０の状態を第１の状態から第２の状態に切り替えることができる。
【００３２】
固定部材３５は、固定部である複数のネジ３０２によってプリンター１０の面１０４，１０６（図３及ぶ図４）に固定されている。詳細には、着脱ユニット３０Ｋ（図３）は、複数のネジ３０２によって第２面１０４に固定され、着脱ユニット３０Ｃ，３０Ｍ、３０Ｙ（図４）は、複数のネジ３０２によって第３面１０６に固定されている。
【００３３】
固定部材３５は、液体導入機構３６と、接点機構３８とを備える。液体導入機構３６は、液体導入部３６２を有する。液体導入部３６２には、液体収容体５０が備える後述する液体供給部が接続されることで、液体収容体５０に収容されたインクが流通する。液体導入部３６２は、プリンター１０の記録ヘッドと連通している。
【００３４】
液体導入部３６２は、内部にインクが流通できる針状である。液体導入部３６２は中心軸ＣＬに沿って延びる。この中心軸ＣＬに沿った方向（液体導入部３６２が延びる方向）をＫ１軸方向とする。Ｋ１軸方向はＺ軸方向と直交する。Ｋ１軸方向とＺ軸方向に直交する方向をＫ２軸方向とする。Ｋ１軸方向とＫ２軸方向とによって規定される面と、図１に示すＸ軸方向とＹ軸方向とによって規定される面とは平行である。Ｋ１軸方向のうち、プリンター１０の外方へ向かう方向が＋Ｋ１軸方向であり、プリンター１０の内方に向かう方向が−Ｋ１軸方向である。
【００３５】
液体導入機構３６と、接点機構３８とはＫ２軸方向に沿って並んで配置されている。Ｋ２軸方向のうち、液体導入機構３６から接点機構３８に向かう方向が＋Ｋ２軸方向であり、接点機構３８から液体導入機構３６に向かう方向が−Ｋ２軸方向である。また、着脱ユニット３０において、Ｚ軸方向を「高さ方向」とも呼び、Ｋ１軸方向を「幅方向」とも呼び、Ｋ２軸方向を「奥行き方向」とも呼ぶ。
【００３６】
図５及び図６に示すように、接点機構３８は、複数（本実施形態では９つ）の装置側端子３８１を有する電気接続部３８２と、複数（本実施形態では２つ）の装置側基板位置決め部３８４、３８５とを備える。液体収容体５０の装着状態において、電気接続部３８２の装置側端子３８１は、液体収容体５０の回路基板と接触（電気的に接続）する。これにより、液体収容体５０の回路基板と、プリンター１０との間で各種情報（例えば、液体収容体５０のインク色や製造年月日）が通信可能となる。装置側端子３８１は、弾性変形可能な金属製の板バネによって形成されている。装置側基板位置決め部３８４，３８５は、電気接続部３８２のＫ２軸方向（液体導入機構３６と接点機構３８とが並ぶ方向）における両側に配置されている。装置側基板位置決め部３８４、３８５は、液体収容体５０が着脱ユニット３０に装着される時に、電気接続部３８２に対する液体収容体５０の回路基板の最終的な位置決めを行う。装置側基板位置決め部３８４，３８５は、Ｋ１軸方向に沿って延びる部材である。
【００３７】
可動部材４０は、固定部材３５に対してＫ１軸方向に沿って移動可能に構成される。可動部材４０は、基部４１と、供給部支持部４２と、基板支持部４８とを備える。供給部支持部４２及び基板支持部４８はそれぞれ、基部４１に接続されている。供給部支持部４２及び基板支持部４８はそれぞれ、基部４１から＋Ｚ軸方向側（上側）に延びる部材である。
【００３８】
供給部支持部４２は、液体導入部３６２に対する液体収容体５０（詳細には液体供給部）の位置を決定するための部材である。着脱ユニット３０をＫ１軸方向に沿って見た時に、供給部支持部４２は液体導入部３６２と重なる位置に設けられている。供給部支持部４２は、−Ｚ軸方向に向かって凹形状を形成するように設けられている。供給部支持部４２は、Ｋ２軸方向における両側に溝部４０７が形成されている。溝部４０７に、液体収容体５０の後述する位置決め部が入り込むことによって、液体収容体５０が備える液体供給部の動きが規制され、液体収容体５０の着脱ユニット３０に対するある程度の位置決めがおこなわれる。すなわち、供給部支持部４２を区画形成する複数の面部（例えば、第１支持面部４０２、第２支持面部４０３、第３支持面部４０４）によって、液体収容体５０が備える液体供給部の動きが規制される。供給部支持部４２のうち、液体導入部３６２側に位置する第１支持面部４０２には、切欠き部４０６が形成されている。切欠き部４０６は、＋Ｚ軸方向側が開口する凹形状である。着脱ユニット３０をＫ１軸方向に沿って見た時に、切欠き部４０６は、液体導入部３６２と重なる位置に設けられている。可動部材４０を固定部材３５に対して最も＋Ｋ１軸方向に移動させた第１の状態において、切欠き部４０６は液体導入部３６２よりも＋Ｋ１軸方向側に位置する。また、図６に示すように、第２の状態では切欠き部４０６内に液体導入部３６２の先端が位置する。
【００３９】
基板支持部４８は、接点機構３８に対する体収容体５０（詳細には回路基板）の位置を決定するための部材である。着脱ユニット３０をＫ１軸方向に沿って見た時に、基板支持部４８は接点機構３８と重なる位置に設けられている。基板支持部４８は、−Ｚ軸方向に向かって凹形状を形成するように設けられている。基板支持部４８を区画形成する複数の面部（例えば、第１基板支持面部４８２）によって、液体収容体５０の回路基板の動きが規制される。
【００４０】
上記のごとく、可動部材４０は、液体収容体５０をプリンター１０に接続するために用いられる。よって、可動部材４０を「接続用部材４０」とも呼ぶ、接続用部材４０は、異なる色のインクを収容する複数の液体収容体５０Ｋ，５０Ｃ，５０Ｍ，５０Ｋのうちの、着脱ユニット３０に接続されるべき液体収容体５０Ｋ，５０Ｃ，５０Ｍ，５０Ｙが収容するインクの色で着色されている。例えば、イエローのインクを収容する液体収容体５０Ｙに接続される着脱ユニット３０Ｙが備える接続用部材４０は、イエローで着色されている。ここで、「インクの色で着色」とは、インクの色と同系色で着色されていることを含む。「同系色」とは、利用者が接続用部材４０を視認することで、接続されるべき液体収容体５０を識別できる範囲の色であれば良い。「同系色」とは、例えば、ＪＩＳ規格（ＪＩＳ  Ｚ  ８１０２）で採用されている２０色色相環（修正マンセル色相環ともいう。）において、色相差が０（ゼロ）〜３である色同士を意味する。
【００４１】
Ａ−３．液体収容体５０の構成：
図７は、液体収容体５０の第１の斜視図である。図８は、液体収容体５０の第２の斜視図である。図８Ａは、液体収容体５０の正面図である。図８Ｂは、液体収容体５０の背面図である。図７，図８，図８Ａ，図８Ｂには、液体収容体５０が着脱ユニット３０に装着された状態（装着状態）におけるＺ軸、Ｋ１軸、Ｋ２軸を示している。また、図７及び図８は、液体としてのインクが充填され、かつ、着脱ユニット３０に装着される前の状態（未使用状態）における液体収容体５０を示している。なお、後述する液体収容体５０を説明するための図についても必要に応じて互いに直交するＺ軸、Ｋ１軸、Ｋ２軸を示している。図７以降の図面では、液体収容体５０Ｃを例に構成についての説明を行うが、液体収容体５０Ｋ，５０Ｍ，５０Ｙについても液体収容体５０Ｃと同様の構成である。
【００４２】
図７に示すように、液体収容体５０は、液体収容部５２（液体収容袋５２）と、操作部材（連結部材、ハンドル部）５３とを備える。操作部材５３は、液体収容部５２に取り付けられている。操作部材５３は、把持部（支持部）５４と、液体供給ユニット５５と、基板ユニット（収容体側電気接続部）５８と、押圧部５４５（図８）とを備える。把持部５４は、利用者が液体収容体５０を支持（把持）するための部分である。よって、把持部５４を「ハンドル部５４」又は「ハンドル部分」と呼ぶことができる。液体供給ユニット５５は、着脱ユニット３０が備える液体導入部３６２及び供給部支持部４２（図６）に対応する部分である。基板ユニット５８は、着脱ユニット３０が備える電気接続部３８２及び基板支持部４８（図６）に対応する部分である。尚、操作部材５３の把持部５４は、本実施形態では「ロ」の字状に形成されているが、「Ｃ」字状や、「Ｔ」字状に形成してもよい。
【００４３】
液体収容部５２は、液体としてのインクを収容可能である。液体収容部５２は、袋面（外表面）が露出した状態で操作部材５３に取り付けられている。すなわち、液体収容部５２は、ケースなどに収容されることなく外部から視認可能に構成されている。液体収容部５２は、収容されたインクの減少に伴って容積が減少する。
【００４４】
液体収容部５２は、第１のシート５２１と、第２のシート５２２と、第３のシート５２３とを有する。第１〜第３のシート５２１〜５２３は、内側にインクを収容するための空間部を区画する。ここで、液体収容部５２のうち、操作部材５３が取り付けられた側を一端（一端部、上端）５０１側とし、一端５０１と対向する側を他端（他端部、底端）５０２側とする。また、液体収容部５２のうち、一端側（＋Ｋ２軸方向側）を第１側端（第１側端部）５０３側とし、他端側（−Ｋ２軸方向側）を第２側端（第２側端部）５０４側とする。図８Ａに示すように、液体供給部５５及び基板ユニット５８は、液体収容部５２の一端部５０１側に位置する。本実施形態では、図８ＡのようにＫ１軸方向に沿って液体収容体５０を見た時に、液体供給部５５及び基板ユニット５８は、一端部５０１と少なくとも一部において重なるように位置する。
【００４５】
図７及ぶ図８に示すように、液体収容体５０の装着状態において、第１のシート５２１及び第２のシート５２２は液体収容部５２の側面を構成する。また、液体収容体５０の装着状態において、第３のシート５２３は液体収容部５２の底面を構成する。第１のシート５２１及び第２のシート５２２は、向かい合って配置されている。第１のシート５２１及び第２のシート５２２は、互いの周縁領域５１Ｗの一部が溶着されている。詳細には、周縁領域５１Ｗのうち、一端５０１側部分と、第１側端５０３側部分と、第２側端５０４側部分とが溶着されている。理解の容易のために、図７及び図８において、第１と第２のシート５２１，５２２が溶着された部分にはクロスハッチングを付している。また、液体収容部５２の一端５０１（詳細には、第１と第２のシート５２１，５２２の一端）には操作部材５３が溶着されている。すなわち、操作部材５３は、液体収容部５２の一端５０１に取り付け可能な部材である。理解の容易のために、図７及び図８において、操作部材５３と第１及び第２のシート５２１，５２２との溶着部分には実線のシングルハッチングを付している。詳細は後述するが、操作部材５３の取付部（接合部）５４９に第１及び第２のシート部材５２１，５２２が溶着によって取り付けられている。
【００４６】
第３のシート５２３は、第３のシート５２３の周縁領域５１Ｙと、第１のシート５２１及び第２のシート５２２の周縁領域５１Ｗの一部とが溶着されている。第３のシート５２３が第１及び第２のシート５２１，５２２に溶着された部分には一点鎖線のシングルハッチングを付している。このように、本実施形態の液体収容部５２は、３つのシート５２１，５２２，５２３を溶着等によって接着したタイプ（いわゆる、底面を有するパウチタイプ）である。
【００４７】
第１〜第３のシート５２１〜５２３はそれぞれ、可撓性を有する部材である。第１〜第３のシート５２１〜５２３の材料（材質）としては、例えば、ポリエチレンテレフタレート（ＰＥＴ），ナイロン，ポリエチレンなどが用いられる。また、これらの材料で構成されたフィルムを複数積層した積層構造を用いて第１〜第３のシート５２１〜５２３を形成しても良い。このような積層構造では、例えば、外層を耐衝撃性に優れたＰＥＴ又はナイロンによって形成し、内層を耐インク性に優れたポリエチレンによって形成しても良い。さらに、アルミニウムなどを蒸着した層を有するフィルムを積層構造の１つの構成部材としても良い。これにより、ガスバリア性を高めることができるので、例えば液体収容部５２に収容されたインクの濃度変化を抑制できる。このように、液体収容部５２の材質は任意に設定できる。
【００４８】
また、液体収容部５２の形状と大きさとはそれぞれ任意に設定できる。例えば、ブラックのインクを収容する液体収容部５２Ｋは、他の色（例えば、シアン）のインクを収容する液体収容部５２Ｃよりも容積（大きさ）を大きくしても良い。また例えば、液体収容部５２は、本実施形態では第１〜第３のシート５２１〜５２３を溶着等によって接着したタイプであったが、第３のシート５２３を省略し、第１と第２のシート５２１，５２３を溶着等によって接着したタイプ（いわゆる、ピロータイプ）としても良い。ここで、上述のごとく、液体収容部５２と操作部材５３とは別部材である。よって、操作部材５３は同じ部品を用いつつ、容易に液体収容部５２の種類（形状と大きさと材質）を変更できる。すなわち、液体収容部５２に収容される液体の特性や量等に応じて液体収容部５２の形状と大きさと材質とを設定できるため、設計の自由度が向上できる。
【００４９】
液体収容体５０は、さらに、液体収容部５２に収容されたインクを液体供給ユニット５５（詳細には後述する液体供給部）に流通させるための流路部材７０を有する。本実施形態において、流路部材７０はチューブである。流路部材７０は、液体収容部５２の内側に配置されている。
【００５０】
図８Ａを用いて以下に説明するように、液体収容体５０の各部は以下の関係を有する。液体収容部５２の一端部５０１の長手方向（Ｋ２軸方向）に沿った把持部５４の幅を、幅Ｗ５４とする。また、接合部５４９の長手方向（Ｋ２軸方向）に沿った接合部５４９の幅を、幅Ｗ５４９とする。幅Ｗ５４は、長手方向（Ｋ２軸方向）における把持部５４の一端部５４Ａと他端部５４Ｂとの距離である。この場合、幅Ｗ５４は幅Ｗ５４９よりも小さい。また、長手方向（Ｋ２軸方向）について、液体供給ユニット５５と基板ユニット５８とは、把持部５４の両端部５４Ａ，５４Ｂの間に位置する。
【００５１】
図９は、液体収容体５０の一部分を示す第１の斜視図である。図１０は、液体収容体５０の一部分を示す第２の斜視図である。図１１は、液体収容体５０の一部分を示す第３の斜視図である。図１２は、液体収容体５０の一部分を示す第４の斜視図である。図１３は、液体収容体５０の一部分の正面図である。図１４は、液体収容体５０の一部分の背面図である。図１５は、液体収容体５０の一部分の上面図である。図１６は、液体収容体５０の一部分の右側面図である。図１６Ａは、図１３のＦ１３−Ｆ１３断面図である。図１６Ｂは、回路基板５８２の正面図である。図１６Ｃは、図１６Ｂの矢視Ｆ１６Ｂである。図９〜図１６Ａにおいて、液体収容体５０が備える液体収容部５２の図示は省略している。
【００５２】
図９及び図１０に示すように、操作部材（ハンドル部）５３は、把持部５４と、第１の接続部５４６と、第２の接続部５４７と、基部（連結部）５４８と、取付部５４９とを備える。ここで、操作部材５３について、Ｚ軸方向を「高さ方向」とも呼び、Ｋ１軸方向を「厚み方向」とも呼び、Ｋ２軸方向を「幅方向」とも呼ぶ。なお、操作部材５３は、上記のごとく取付部５４９の構成要素として捉えても良いし、操作部材５３と取付部５４９とは別の構成要素として捉えても良い。
【００５３】
把持部５４と、第１の接続部５４６と、第２の接続部５４７と、基部５４８とはそれぞれ棒状である。把持部５４と、第１の接続部５４６と、第２の接続部５４７と、基部５４８とによって枠状の部材が形成される。これにより、操作部材５３には、利用者の手を受け入れるための略矩形状の受入空間部５４２が区画形成される。
【００５４】
把持部５４は、把持可能な部分である。把持部５４は、利用者が液体収容体５０を把持する部分である。把持部５４は、Ｋ２軸方向に沿って延びる。図１１に示すように、把持部５４は、受入空間部５４２と接する把持面（支持面）５４１を有する。把持面５４１は、利用者によって直接に支持（把持）される部分である。把持面５４１は、着脱ユニット３０に装着された装着状態においてＺ軸方向に略垂直な平面である。
【００５５】
図９に示すように、第１の接続部５４６は、把持部５４のうちＫ２軸方向における一端部から基部５４８側（−Ｚ軸方向側、図７に示す液体収容部５２側）に延びる部材である。第２の接続部５４７は、把持部５４のうちＫ２軸方向における他端部から基部５４８側（−Ｚ軸方向側、図７に示す液体収容部５２側）に延びる部材である。基部５４８は、受入空間部５４２を挟んで把持部５４と対向する部分である。基部５４８は、Ｋ２軸方向に沿って延びる。基部５４８には、後述する位置決め部５６と、回路基板保持部（収容体側電気接続部）５９と、押圧部５４５（図１２）とが取り付けられている。すなわち、液体供給ユニット５５と収容体側電気接続部５８（詳細には、回路基板保持部５９）とは基部５４８を介して互いに連結されている。これにより、液体供給ユニット５５と回路基板保持部（接触部配置部）５９とが基部５４８の動きに連動する。すなわち、利用者は、一つの部材（本実施形態では基部５４８）の動きを操作することで、プリンター１０に液体収容体５０を接続するために用いられる液体供給ユニット５５及び回路基板保持部５９の動きを操作できる。ここで、「連結」とは、連結されている部材同士が互いに連動して動くように接続されていることを言う。
【００５６】
取付部（接合部）５４９は、基部５４８を挟んで把持部５４が位置する側とは反対側に位置する。取付部５４９は、基部５４８と隣接する。取付部５４９は、Ｋ２軸方向に沿って延びる。取付部５４９は、液体収容部５２の一端５０１（図７）が溶着等によって取り付けられる部分（接合される部分）である。取付部５４９は、操作部材５３に連結されている。また、図１３及び図１６Ａに示すように、取付部５４９は液体収容部５２に収容されたインクを液体供給部５７に流通させるための導出部５５０を有する。導出部５５０に流路部材７０が接続されることで、流路部材７０を流れたインクが導出部５５０を介して液体供給部５７に流通する。なお、理解の容易の為に、図１３及び図１４には、取付部５４９のうち液体収容部５２が取り付けられる部分にはシングルハッチングを付している。
【００５７】
図９及び図１０に示すように、液体供給ユニット５５は、液体供給部５７と位置決め部５６とを備える。但し、位置決め部５６は液体供給部５７とは別体で構成され、液体供給部５７との間に僅かな隙間が形成されている。液体供給ユニット５５は、操作部材５３から外方（−Ｋ１軸方向）に突出して設けられている。
【００５８】
液体供給部５７は、液体収容部５２に収容されたインクをプリンターに流通させる。液体供給部５７は、一端である液体供給口５７２と、他端である供給接続部５７３とを有する。液体供給口５７２は、液体収容部５２の内部と連通し、液体収容部５２に収容されたインクを外部（プリンター１０）に流出させる。液体供給口５７２は、把持面５４１に垂直な平面（Ｚ軸方向とＫ２軸方向によって規定される面）を規定する。供給接続部５７３は操作部材５３に接続されている。液体供給部５７は、Ｋ１軸方向（中心軸ＣＴ方向）に沿って延びる筒状部材（環状部材）である。液体供給部５７は、操作部材５３より外方（−Ｋ１軸方向）に突出して設けられている。
【００５９】
液体供給部５７は、中心軸ＣＴを備える。中心軸ＣＴは、Ｋ１軸方向と平行である。ここで、Ｋ１軸方向のうち、液体供給口５７２から供給接続部５７３に向かう方向が＋Ｋ１軸方向であり、供給接続部５７３から液体供給口５７２に向かう方向が−Ｋ１軸方向である。
【００６０】
図１５に示すように、把持面５４１は、液体供給部５７の中心軸ＣＴ方向（Ｋ１軸方向）に垂直な方向（＋Ｚ軸方向）側に配置されている。把持面５４１を含む操作部材５３は、液体供給口５７２に対し中心軸ＣＴ方向にオフセットするように設けられている。言い換えれば、把持面５４１と直交する方向で、且つ、液体供給部５７から把持面５４１に向かう方向（＋Ｚ軸方向）側から液体収容体５０を見たときに、液体供給口５７２は把持面５４１（操作部材５３）と重ならない位置に配置されている。すなわち、液体収容体５０を把持面５４１に垂直な面に投影した時に、把持面５４１と液体供給口５７２とは重ならない位置関係にある。
【００６１】
図９に示すように、液体収容体５０の未使用状態では、液体供給口５７２がフィルム９９によって塞がれている。これにより、液体収容体５０が着脱ユニット３０（図５）に装着される前において、液体供給口５７２からインクが外部に漏れ出すことを抑制できる。フィルム９９は、液体収容体５０が着脱ユニット３０に装着する際に液体導入部３６２（図５）によって破られる。
【００６２】
図１６Ａに示すように、液体供給部５７の内部には、液体供給部５７によって形成された液体流路を開閉するための弁機構５５１が配置されている。弁機構５５１は、弁座５５２と、弁体５５４と、バネ５５６とを備える。液体供給部５７の液体供給口５７２から供給接続部５７３に向かって、弁座５５２、弁体５５４、バネ５５６の順に液体供給部５７内に収容されている。
【００６３】
弁座５５２は、略円環状の部材である。弁座５５２は、例えば、ゴムやエラストマー等の弾性体によって構成されている。弁座５５２は、液体供給部５７の内部に圧入されている。弁体５５４は、略円柱状の部材である。弁体５５４は、液体収容体５０が着脱ユニット３０に装着される前の状態において弁座５５２に形成された孔（弁孔）を塞ぐ。バネ５５６は、圧縮コイルバネである。バネ５５６は、弁体５５４を弁座５５２側に向かう方向に付勢する。液体収容体５０の装着状態では、液体導入部３６２（図５）が弁体５５４を供給接続部５７３側に押すことで、弁体５５４が供給接続部５７３側に移動する。これにより、弁体５５４が弁座５５２から離れて弁機構５５１が開状態になる。弁機構５５１が開状態の時に、液体収容部５２（図７）に収容されたインクは、流路部材７０、操作部材５３の内部流路５５８及び液体供給部５７を流れて外部に流出可能となる。
【００６４】
図９に示すように、位置決め部５６は、液体収容体５０がプリンター１０に接続されるときに、液体供給口５７２を含めた液体収容部５０のプリンター１０に対するある程度の位置決めを行う。位置決め部５６は、操作部材５３に一体的に設けられている。本実施形態では、位置決め部５６は、操作部材５３と一体成形により作成されることで、操作部材５３と一体的に設けられる。ここで、「一体的に設けられる」とは、位置決め部５６が操作部材５３の動きに連動するように操作部材５３に設けられていることを意味する。他の実施形態では、操作部材５３に対し位置決め部５６を溶着等により取り付けることで、位置決め部５６を操作部材５３に一体的に設けても良い。また、位置決め部５６は液体供給口５７２の近傍に液体供給口５７２の上方を除く周方向を囲むような形態で設けられているが、操作部材５３が変形しにくい材料から成る場合は、操作部材５３のうちの液体供給口５７２から多少離れた位置に設けても良い。位置決め部５６は、操作部材５３から−Ｋ１軸方向に突出する。
【００６５】
図９及び図１０に示すように、位置決め部５６は、液体供給口５７２の近傍に配置されている。また、図１３に示すように、位置決め部５６の少なくとも一部は、液体供給口５７２の液体収容部５２（図７）側（−Ｚ軸方向側）に設けられている。本実施形態では、中心軸ＣＴを中心とした液体供給部５７の周囲に位置決め部５６は配置されている。詳細には、位置決め部５６は、液体供給部５７の周囲のうち、把持部５４側を除く周囲に配置されている。位置決め部５６は、液体収容体５０をプリンター１０に接続するときに、着脱ユニット３０（図５）が備える供給部支持部４２の内側に配置される。これにより、供給部支持部４２を区画形成する複数の面部（例えば、図５に示す第１支持面部４０２、第２支持面部４０３、第３支持面部４０４）と、位置決め部５６とが当たることによって、液体供給部５７の動きが規制され、液体収容体５０がある程度位置決めされる。その後、液体供給口５７２は液体供給口５７２の上下左右の位置で液体供給部５７に設けられた突起５７７（５７７ａ，５７７ｂ，５７７ｃ，５７７ｄ）と、液体導入部３６２の上下左右に設けられた図５及び図６に示す位置決め突起３６６（３６６ａ，３６６ｂ，３６６ｃ，３６６ｄ）とにより位置決めされた状態で液体導入部３６２に接続される。
【００６６】
液体供給ユニット５５は、液体収容部５２（図７）に収容されたインクをプリンター１０に供給する機能を有する。よって、液体供給ユニット５５は、「液体供給部」として捉えることもできる。この場合、液体供給部としての液体供給ユニット５５は、一端に液体供給口５７２を有する液体供給部（液体流通部）５７と、位置決め部５６とを備える。
【００６７】
図９及び図１０に示すように、基板ユニット（収容体側電気接続部）５８は、回路基板５８２と、回路基板保持部５９とを備える。基板ユニット５８は、操作部材５３から外方（−Ｋ１軸方向）に突出して設けられる。基板ユニット５８の突出方向は、液体供給部５７の突出方向（−Ｋ１軸方向）と同じである。なお、基板ユニット５８の突出方向と、液体供給部５７の突出方向とは、同じでなくても良く、実質的に平行であれば良い。「実質的に平行」とは、完全に平行な状態だけではなく、多少の誤差や多少のズレによってほぼ平行な状態も含む。すなわち、「実質的に平行」とは、本明細書中において記載する効果を奏する範囲内において完全に平行でない状態も含む。また、本明細書において「面」とは、平らな面や、多少の凹凸がある面や、多少屈曲した面を含む。また、基板ユニット５８と液体供給部５７とは、操作部材５３に対して同じ側（−Ｋ１軸方向側）に向かって操作部材５３から突出している。
【００６８】
図１５に示すように、基板ユニット５８は、把持面５４１と平行な方向に液体供給ユニット５５と並んで設けられている。具体的には、基板ユニット５８と液体供給ユニット５５とは、把持面５４１と平行な方向であって、且つ、中心軸ＣＴと直交する方向であるＫ２軸方向に並んで設けられている。
【００６９】
図９に示すように、回路基板保持部５９は、液体収容体５０がプリンター１０に接続されるときに、プリンター１０に対して回路基板５８２を位置決めする。回路基板保持部５９は、操作部材５３に一体的に設けられている。本実施形態では、回路基板保持部５９は、操作部材５３と一体成形により作成されることで、操作部材５３と一体的に設けられる。ここで、「一体的に設けられる」とは、回路基板保持部５９が操作部材５３の動きに連動するように操作部材５３に設けられていることを意味する。なお、他の実施形態では、操作部材５３に対し回路基板保持部５９を溶着等により取り付けることで、回路基板保持部５９を操作部材５３に一体的に設けても良い。
【００７０】
回路基板保持部５９は、＋Ｚ軸方向側（把持部５４が位置する側）が開口する凹形状である。凹形状の底部５９４は、把持面５４１（図１１）に対して傾斜している。底部５９４に回路基板５８２が取り付けられることで、回路基板５８２は回路基板保持部５９に上記のように傾斜して保持される。回路基板保持部５９の少なくとも一部（底部５９４）は、回路基板５８２の液体収容部５２（図７）側（−Ｚ軸方向側）に設けられている。すなわち、基板ユニット（収容体側電気接続部）５８のうち、接触部ｃｐ（図１６Ｂ）と異なる少なくとも一部（底部５９４）は、接触部ｃｐの液体収容部５２側に設けられている。
【００７１】
回路基板保持部５９は、底部５９４のＫ２軸方向の両側からそれぞれ＋Ｚ軸方向側に延びる第１の側壁部５９２及び第２の側壁部５９３を有する。図１０に示すように、第１の側壁部５９２は溝部５９３ｔを有する。図９に示すように、第２の側壁部５９３は溝部５９２ｔを有する。液体収容体５０がプリンター１０に接続されるときに、回路基板保持部５９は、まず基板支持部４８（図５）によって支持される。これにより、装置側端子３８１（図５）に対する回路基板保持部５９及び回路基板５８２のある程度の位置決めが行われる。そして、図５に示す着脱ユニット３０の可動部材４０を−Ｋ１軸方向に移動させることで、図６に示す装置側基板位置決め部３８５が回路基板保持部５９の溝部５９３ｔ（図９）に入り込み、また、図６に示す装置側基板位置決め部３８４（図６）が回路基板保持部５９の溝部５９２ｔ（図１０）に入り込む。これにより、装置側端子３８１に対する回路基板保持部５９及び回路基板５８２の位置決めが行われる。
【００７２】
図１３に示すように回路基板５８２は、表面に複数の端子５８１を有する。本実施形態では、端子５８１は装置側端子３８１の数（９つ）に対応して９つ配置されている。本実施形態では、端子５８１の外形は略矩形状である。また、回路基板５８２の裏面には記憶装置５８３（図１６Ｂ）が配置されている。記憶装置５８３は、液体収容体５０に関する情報（例えば、インク色、インク残量等）を格納する。記憶装置５８３と複数の端子５８１とは電気的に接続されている。装着状態において、複数の端子５８１はそれぞれ、プリンター１０が備える電気接続部３８２の対応する装置側端子３８１（図６）と電気的に接続される。
【００７３】
図１６Ｂに示すように、回路基板５８２の＋Ｚ軸方向側の上側端部５８６にはボス溝５８４が形成され、回路基板５８２の−Ｚ軸方向側の下側端部５８７にはボス孔５８５が形成されている。回路基板５８２は、ボス溝５８４およびボス孔５８５を用いて底部（配置部）５９４に固定されている。
【００７４】
図１６Ｂ及び図１６Ｃに示すように、回路基板５８２は、表面５８２ｆａに設けられた液体収容体側端子群５８０と、裏面５８２ｆｂに設けられた記憶装置５８３とを有する。表面５８２ｆａ及び裏面５８２ｆｂは平面である。
【００７５】
液体収容体側端子群５８０は、９つの端子５８１Ａ〜５８１Ｉからなる。記憶装置５８０は、液体収容体５０に関する情報（例えば、インク残量、インク色）等を格納する。
【００７６】
図１６Ｂに示すように、９つの液体収容体側端子５８１Ａ〜５８１Ｉはそれぞれ略矩形状に形成され、Ｚ軸方向の異なる位置に２つの列Ｌｎ１，Ｌｎ２を形成するように配置されている。列Ｌｎ１，Ｌｎ２はＫ２軸方向に平行である。
【００７７】
液体収容体側端子５８１Ａ〜５８１Ｉのそれぞれの中央部には、対応する装置側端子３８１（図６）に接触する接触部ｃｐを有する。上記の列Ｌｎ１，Ｌｎ２は複数の接触部ｃｐによって形成される列であると考えることもできる。なお９つの液体収容体側端子５８１Ａ〜５８１Ｉを区別することなく用いる場合は符号「５８１」を用いる。
【００７８】
このように、収容体側電気接続部５８は、装置側電気接続部３８２と接触可能な接触部ｃｐを有する。また、収容体側電気接続部５８は、図９に示すように、操作部材５３に一体的に設けられている。
【００７９】
図１５に示すように、把持面５４１は、液体供給部５７の中心軸ＣＴ方向に垂直な方向（＋Ｚ軸方向）側に配置されている。収容体側電気接続部としての基板ユニット５８は、把持面５４１を含む操作部材５３に対し中心軸ＣＴ方向にオフセットするように設けられている。言い換えれば、把持面５４１と直交する方向で、且つ、液体供給部５７から把持面５４１に向かう方向（＋Ｚ軸方向）側から液体収容体５０を見たときに、基板ユニット５８は、把持面５４１（操作部材５３）と重ならない位置に配置されている。すなわち、液体収容体５０を把持面５４１に垂直な面に投影した時に、把持面５４１と基板ユニット５８とは重ならない位置関係にある。この場合、基板ユニット５８のうち少なくとも回路基板５８２が把持面５４１（操作部材５３）と重ならない位置に配置されていれば良い。
【００８０】
図９及び図１２に示すように、操作部材５３のうち−Ｋ１軸方向側を第１側５３ｆａとし、操作部材５３のうち第１側５３ｆａとは反対側である＋Ｋ１軸方向側を第２側５３ｆｂとする。図９に示すように、回路基板保持部５９と位置決め部５６とは同じ側である第１側５３ｆａに設けられている。
【００８１】
図１２に示すように、押圧部５４５は、操作部材５３を挟んで位置決め部５６及び回路基板保持部５９と対向する第２側５３ｆｂに設けられている。すなわち、図１１に示すように、位置決め部５６及び回路基板保持部５９は、基部５４８のうち第１側５３ｆａの表面に設けられているのに対し、図１２に示すように、押圧部５４５は、基部５４８のうち第２側５３ｆｂの表面に設けられている。また、図１５及び図１６に示すように、押圧部５４５の少なくとも一部は、位置決め部５６及び回路基板保持部５９と操作部材５３を挟んで対向する。
【００８２】
押圧部５４５は、液体収容体５０をプリンター１０に接続するときに、利用者によって押圧される部分である。すなわち、押圧部５４５は手動で押圧される部分である。押圧部５４５を−Ｋ１軸方向側に押すことで、液体収容体５０がセットされた可動部材４０（図６）を−Ｋ１方向側に移動させる。
【００８３】
押圧部５４５は、操作部材５３から外方（＋Ｋ１軸方向）に突出して設けられている。これにより、押圧部５４５と他の部分とを識別し易くでき、液体収容体５０をプリンター１０に接続する際に、押圧部５４５を押圧する操作を利用者に対し促すことができる。また、図１４に示すように、押圧部５４５は、Ｋ１軸方向に沿った方向から操作部材５３を見たときに、押圧部５４５の外形の一部は、基部５４８よりも外側にはみ出している。これにより、押圧部５４５の表面積を大きくできるため、利用者は押圧部５４５を押圧し易くできる。
【００８４】
操作部材５３、回路基板保持部５９、位置決め部５６、液体供給部５７、押圧部５４５は同一材料によって形成しても良いし、用途に応じて異なる材料によって形成しても良い。操作部材５３の材料としては、例えば、ポリエチレン（ＰＥ）やポリプロピレン（ＰＰ）やＡＢＳ樹脂などの合成樹脂を用いることができる。
【００８５】
図１７Ａは、操作部材５３の第１の分解斜視図である。図１７Ｂは、操作部材５３の第２の分解斜視図である。図１７Ｃは、操作部材５３の背面図である。図１７Ｄは、液体収容体５０の正面図である。図１７Ｅは、図１７ＤのＦ１７Ｄａ−Ｆ１７Ｄａ部分断面図である。図１７Ｆは、図１７ＤのＦ１７Ｄｂ−Ｆ１７Ｄｂ部分断面図である。図１７Ａ〜図１７Ｃには、理解の容易のために流路部材７０も図示している。また、図１７Ｃは、後述する第３部材（押圧用部材）５３Ｃが取り外された図である。
【００８６】
図１７Ａ及び図１７Ｂに示すように、操作部材（連結部材、ハンドル部）５３は、第１部材５３Ａと第２部材５３Ｂと第３部材とを備える。第１部材５３Ａ〜第３部材５３Ｃが組み合わされることで操作部材５３が形成される。詳細には、第１部材５３Ａと第３部材５３Ｃとによって第２部材５３Ｂを挟むようにして各部材５３Ａ〜５３Ｂが組み合わされる。第１部材３４Ａ〜第３部材５３Ｃはそれぞれ、合成樹脂などの材料を一体成形することで形成されている。
【００８７】
第１部材５３Ａは、把持部５４を含む。第１部材５３Ａの形状は、枠状である。第１部材５３Ａは、Ｋ１軸方向（中心軸ＣＴ方向）に垂直な平面に沿った板状部材である。第１部材５３Ａのうち連結部５４８（詳細には、連結部５４８の第１側５３ｆａ部分）には、位置決め部５６と回路基板保持部５９とが一体成形によって接続されている。以上のように、操作部材５３のうち第１部材５３Ａ自身が、「連結部材５３Ａ」又は「ハンドル部５３Ａ」であるとも言える。
【００８８】
図１７Ｂに示すように、第１部材５３Ａの第２側５３ｆｂには、第２部材５３Ｂと係合することで第１部材５３Ａと第２部材５３Ｂとを連結（接続）するための３つの係合部５１１Ａ，５１１Ｂ，５１１Ｃを有する。３つの係合部５１１Ａ，５１１Ｂ，５１１Ｃは、Ｋ２軸方向（位置決め部５６と回路基板保持部５９とが並ぶ方向）に沿って並んで配置されている。なお、係合部５１１Ａ，５１１Ｂ，５１１Ｃの数は、２つ以下であっても良いし、４つ以上であっても良い。また、３つの係合部５１１Ａ、５１１Ｂ、５１１Ｃを区別することなく用いる場合は符号「５１１」を用いる。
【００８９】
係合部５１１は、第１部材５３Ａの第２側５３ｆｂのうち、基部５４８に設けられている。係合部５１１の形状は略直方体形状である。すなわち、係合部５１１の外形形状は、略矩形状であり、Ｋ１軸方向（流通部５７の中心軸ＣＴ方向）に沿った方向（Ｋ１軸方向）を取り囲む形状である。係合部５１１は、基部５４８から第２部材５３Ｂ側（＋Ｋ１軸方向側）に突出する凸部である。
【００９０】
また、図１７Ｂに示すように、第１部材５３Ａの第２側５３ｆｂには、押圧用部材５３Ｃと係合することで第１部材５３Ａと第３部材５３Ｃとを連結（接続）するための８つ（図では７つのみ図示）の部材係合部５８８を備える。部材係合部５８８は、凹形状である。
【００９１】
図１７Ａ及ぶ図１７Ｂに示すように、第２部材５３Ｂには、液体供給部５７が一体成形によって接続されている。また、第２部材５３Ｂには、取付部（接合部）５４９が一体成形によって連結（接続）されている。
【００９２】
また、第２部材５３Ｂは、係合部５１１と係合することで第１部材５３Ａを第２部材５３Ｂに取り付けるための３つの係合部５１３Ａ，５１３Ｂ，５１３Ｃを有する。なお、３つの係合部５１３Ａ，５１３Ｂ，５１３Ｃを区別することなく用いる場合は、符号「５１３」を用いる。係合部５１３は４つ以上であっても良いし、２つ以下であっても良い。
【００９３】
３つの係合部５１３Ａ，５１３Ｂ，５１３Ｃは、第１部材５３Ａが有する３つの係合部５１３Ａ，５１３Ｂ、５１３Ｃに対応して設けられている。係合部５１３は、Ｋ１軸方向に貫通する貫通孔である。係合部５１３の外形形状は、係合部５１１が嵌め合わされることが可能な形状である。係合部５１３の外形形状は、略矩形状であり、Ｋ１軸方向（流通部５７の中心軸ＣＴ方向）に沿った方向（Ｋ１軸方向）を取り囲む形状である。
【００９４】
図１７Ｃに示すように、凸形状である係合部５１１Ａ，５１１Ｂ，５１１Ｃが対応する貫通孔である係合部５１３Ａ，５１３Ｂ，５１３Ｃに嵌め込まれることで、第１部材５３Ａに第２部材５３Ｂが取り付けられる。すなわち、係合部５１３が設けられた部分５１７は、接合部５４９から液体収容部５２（図７）の外部に突出する「突出部５１７」とも呼ばれる。そして突出部５１７が有する係合部５１３に連結部材５３Ａの係合部５１１が係合することで、連結部材５３Ａは接合部５４９と連結している。
【００９５】
ハンドル部５３Ａの３つの係合部５１１Ａ，５１１Ｂ，５１１Ｃは、液体収容部５２（）が取り付けられる第２部材５３Ｂと係合することで以下のように機能する。すなわち、利用者がハンドル部５３Ａを把持することで液体収容体５０を持ったとき、３つの係合部５１１Ａ，５１１Ｂ，５１１Ｃは、液体収容部５２の自重によって生じる荷重を受ける部分として機能する。よって、３つの係合部５１１Ａ，５１１Ｂ，５１１Ｃをそれぞれ支持部５１１Ａ，５１１Ｂ，５１１Ｃとも呼ぶ。
【００９６】
ハンドル部５３Ａと第２部材５３Ｂとが組み付けられることで、ハンドル部５３Ａは液体供給部５７に接続される。なお本段落において記載する「接続」とは、直接的にハンドル部５３Ａと液体供給部５７とが接続されている態様の他に、他の部材を介して間接的にハンドル部５３Ａと液体供給部５７とが接続されている態様を含む。
【００９７】
係合部５１１Ｂと係合部５１３Ｂとが係合することで、連結部材５３Ａに対する第２部材５３ＢのＫ２軸方向及びＺ軸方向の動きが規制される。係合部５１１Ａと係合部５１３Ａとが係合し、係合部５１１Ｃと係合部５１３Ｃとが係合することで、連結部材５３Ａに対する第２部材５３ＢのＺ軸方向の動きが規制される。すなわち、係合部５１１と係合部５１３とは、互いに中心軸ＣＴ方向（Ｋ１軸方向）に沿った方向（Ｋ１軸方向）を取り囲む外形形状を有することで、中心軸ＣＴ方向と直交する面方向（Ｚ軸方向とＫ２軸方向とで規定される面方向）の連結部材５３Ａと第２部材５３Ｂとの間の位置ズレを抑制できる。
【００９８】
図１７Ｂに示すように、連結部材５３Ａは、更に凸状の係止爪５１１Ｄａ，５１１Ｄｂを有する。係止爪５１１Ｄａ，５１１Ｄｂは、第１部材５３Ａのうち連結部５４８の第２側５３ｆｂに設けられている。また、第２部材５３Ｂは、凸状の係止爪５１１Ｄａ、５１１Ｄｂに対応する位置に貫通孔５１３Ｄａ，５１３Ｄｂを有する。
【００９９】
図１７Ｅ及び図１７Ｆに示すように、係止爪５１１Ｄａ，５１１Ｄｂは、貫通孔５１３Ｄａ，５１３Ｄｂを形成する部材に係止されることで、連結部材５３Ａに対する第２部材５３Ｂの＋Ｋ１軸方向への動きを規制する。また、連結部材５３Ａに対する第２部材５３Ｂの−Ｋ１軸方向への動きは、第２部材５３Ｂの一部が、連結部材５３Ａの一部に当たることで規制される。
【０１００】
以上のように、連結部材５３Ａの係合部５１１は、第２部材５３Ｂの係合部５１３と係合することで、両部材５３Ａ，５３Ｂ間の位置決めが行われる。ここで、連結部材５３Ａには、回路基板保持部５９が連結され、第２部材５３Ｂには、プリンター１０に接続あれる液体供給部５７が連結されている。よって、連結部材５３Ａの係合部５１１と第２部材の係合部５１３とが係合することで、液体供給部５７と回路基板保持部５９との間の位置が決定される。ここで、係合部５１１を「部材位置決め部５１１」とも呼ぶ。
【０１０１】
図１７Ｃに示すように、接合部５４９の長手方向（Ｋ２軸方向）において、係合部５１１Ａと係合部５１１Ｂとは液体供給部５７を挟む位置に配置されている。また、長手方向（Ｋ２軸方向）において、係合部５１１Ａと係合部５１１Ｃとは液体供給部５７を挟む位置に配置されている。また、長手方向（Ｋ２軸方向）において、係合部５１１Ｂと係合部５１１Ｃとは、回路基板５８２（接触部ｃｐ）を挟む位置に配置されている。また、長手方向（＋Ｋ２軸方向）において、係合部５１１Ａと係合部５１１Ｃとは、回路基板５８２（接触部ｃｐ）を挟む位置に配置されている。
【０１０２】
図１７Ｂに示すように、第３部材５３Ｃは押圧部５４５を含む。第３部材５３Ｃの形状は、第１部材５３Ａの形状と対応した枠状である。第３部材５３Ｃは、Ｋ１軸方向（中心軸ＣＴ方向）に垂直な平面に沿った板状部材である。第３部材５３Ｃのうち第１側５３ｆａ部分には、８つの係合部５１５を備える。なお、係合部５１５の数はこれに限定されるものではない。係合部５１５が図１７Ｂに示す部材係合部５８８に係合することで、第１部材５３Ａと第３部材５３Ｃとが連結される。
【０１０３】
連結部材５３Ａ（ハンドル部５３Ａ）と、第２部材５３Ｂと、第３部材５３Ｃとはそれぞれ別部材である。また、本実施形態では、ハンドル部５３Ａと、第２部材５３Ｂと、第３部材５３Ｃとは異なる材料で形成されている。なお、少なくともハンドル部５３Ａと第２部材５３Ｂとが異なる材料で形成されることが好ましい。
【０１０４】
ハンドル部５３Ａは、耐変形性又は耐クリープ性に優れた材料で形成されている。ハンドル部５３Ａは、利用者によって把持されて、液体収容部５２の自重によって生じる荷重がかかった場合に変形しくい十分な耐変形性又は耐クリープ性を有している。ハンドル部５３Ａは、第２部材５３Ｂ又は第３部材５３Ｃよりも耐変形性が優れた（高い）材料で形成されている。また、ハンドル部５３Ａは、第２部材５３Ｂ及び第３部材５３Ｃよりも耐クリープ性に優れた（高い）材料で形成されることが好ましい。ハンドル部５３Ａは、ＡＢＳ樹脂や、通常のＡＢＳよりも耐熱性を高めた耐熱性ＡＢＳ樹脂や、ポリスチレン（ＰＳ）等の材料によって形成されている。本実施形態では、ハンドル部５３Ａは、ＡＢＳ樹脂を用いて形成されている。耐熱性ＡＢＳは、１．８２ＭＰａにおける荷重撓み温度が１２０℃以上の部材であっても良い。なお、ハンドル部５３Ａのうち、少なくとも液体供給部５７が接続された部分が、耐変形性又は耐クリープ性に優れた材料で形成されていても良い。
【０１０５】
耐変形性は、曲げ弾性率の大小を指標として評価できる。「耐変形性に優れた材料」とは、例えばＪＩＳ  Ｋ  ７１７１による曲げ弾性率が１８００ＭＰａ以上の材料であることが好ましく、２０００ＭＰａ以上の材料であることがさらに好ましく、２５００ＭＰａ以上の材料であることがさらに一層好ましい。また、「耐変形性に優れた材料」とは、ＪＩＳ  Ｋ  ７１７１による曲げ弾性率がポリエチレンよりも高い材料であっても良い。
【０１０６】
耐クリープ性は、所定の材料を用いて形成した部材に対して一定荷重（例えば、２．８Ｍｐａ）をかけ続けたときの変形量（ソリ量）の大小を指標として評価できる。「耐クリープ性に優れた材料」とは、所定形状の部材を形成した場合に、ポリエチレンよりも変形量が小さい材料であることが好ましい。
【０１０７】
第２部材５３Ｂは、液体収容部５２が収容するインクに対して耐性のある材料で形成されている。第２部材５３Ｂは、ポリエチレン（ＰＥ）やポリプロピレン（ＰＰ）やポリアセトアール（ＰＯＭ）等の材料によって形成されている。
【０１０８】
「液体に対して耐性がある」とは、「耐薬品性がある」とも言える。また、「液体に対して耐性がある材料」とは、液体に浸した場合に、液体と反応しない材料（材料によって形成した部材）を言う。すなわち、「液体に対して耐性がある材料」とは、液体に浸した場合に、液体中に固形物などの不純物が所定値以上発生しない材料（材料によって形成した部材）を言う。例えば、「液体に対して耐性がある材料」とは、以下のように評価することができる。すなわち、評価する材料を用いて形成した部材（本実施形態では第２部材５３Ｂ）を、液体収容部５２が収容するインクに浸した後に高温環境下（例えば、８０℃）で所定の時間（例えば、４８時間）の間放置する。所定の時間の間、第２部材５３Ｂを放置した後に、以下の３つの観点で観察を行った。
（ｉ）インク中に固形物の有無。
（ｉｉ）第２部材５３Ｂのインクに浸す前後における質量の変化が±５％以内であるか否か。
（ｉｉｉ）第２部材５３Ｂの外観形状の変化の有無。
上記（ｉ）〜（ｉｉｉ）において、インク中に固形物が無く、かつ、質量に大きな変化が無く（±５％以内）、かつ、外観形状に大きな変化が無いと認められた場合に、「液体に対して耐性がある材料」であると評価できる。なお、第２部材５３Ｂのうち、少なくともインクと接触する部分（すなわち、液体供給部５７の内面）をインクに対して耐性のある材料で形成しても良い。
【０１０９】
図１７Ａ及び図１７Ｂに示すように、第３部材５３Ｃは、例えば、ポリエチレン（ＰＥ）やポリプロピレン（ＰＰ）やポリアセトアール（ＰＯＭ）等の材料によって形成されている。第３部材５３Ｃに設けられた押圧部５４５は、ハンドル部５３Ａを挟んで液体供給部５７とは反対側に位置する。第３部材５３Ｃは、液体収容部５２に収容されたインクの色で着色されている。例えば、イエローのインクを収容した液体収容体５０Ｙの場合、第３部材５３Ｃはイエローで着色されている。ここで、「インクの色で着色」とは、インクの色と同系色で着色されていることを含む。「同系色」とは、利用者が第３部材５３Ｃを視認することで、収容されているインクの色を識別できる範囲の色で有れば良い。「同系色」とは、上述したように、例えば、ＪＩＳ規格（ＪＩＳ  Ｚ  ８１０２）で採用されている２０色色相環（修正マンセル色相環ともいう。）において、色相差が０（ゼロ）〜３である色同士を意味する。
【０１１０】
上記のごとく、第３部材５３Ｃは、液体収容部５２に収容されたインク（収容インク）の色で着色された識別部分として機能する。なお、識別部分（着色された部分）は、第３部材５３Ｃ全体である必要は無く、外部から視認可能な一部にあれば良い。例えば、第３部材５３Ｃのうち押圧部５４５の少なくとも一部が識別部分であっても良い。
【０１１１】
また、利用者が、収容インクの色を識別するために、第３部材５３Ｃをインクの色と同じ色で着色しても良いが、これに限定されるものではなく、第３部材５３Ｃが、収容インクの色を識別するための外観を呈していれば良い。例えば、押圧部５４５表面に、文字情報としてインク色を表示しても良い。
【０１１２】
ここで、接続用部材４０（図５）も収容インクの色で識別されているので、第３部材５３Ｃは、接続されるべき接続用部材４０と同じ色で着色された着色部分を有するとも言える。本実施形態の場合、着色部分は第３部材５３Ｃ全体であるが、第３部材の一部（例えば、押圧部５４５の少なくとも一部）が着色部分を有していれば良い。
【０１１３】
Ａ−４．液体収容体５０の着脱ユニット３０への装着方法：
図１８は、液体収容体５０が着脱ユニット３０にセットされた時の図である。図１９は、図１８のＦ１８−Ｆ１８部分断面図である。図２０は、液体収容体５０が着脱ユニット３０に装着された時の図である。図２１は、図２０のＦ２０−Ｆ２０部分断面図である。図１８及ぶ図１９に示す着脱ユニット３０の状態は、図５と同様に第１の状態である。図２０及び図２１に示す着脱ユニット３０の状態は、図６と同様に第２の状態である。
【０１１４】
図１９に示すように、液体収容体５０を着脱ユニット３０に装着する際には、液体収容体５０をセット方向に移動させる操作（セット操作又は第１の操作）と、接続方向に移動させる操作（接続操作又は第２の操作）との２つの操作が行われる。セット方向は、鉛直下方向（−Ｚ軸方向）成分を含む方向である。本実施形態では、セット方向は、鉛直下方向である。
【０１１５】
利用者は、第１の状態にある着脱ユニット３０に対して、液体収容体５０を着脱ユニット３０の可動部材４０にセットする。具体的には、利用者は、操作部材５３が液体収容部５２よりも鉛直上方向になる状態で把持部５４を把持する。そして、図１８及び図１９に示すように、液体収容体５０の位置決め部５６を供給部支持部４２内に配置させると共に、基板支持部４８内に回路基板保持部５９を配置させる。
【０１１６】
液体収容体５０が可動部材４０にセットされた後に、図１９の矢印Ｆに示すように、利用者は押圧部５４５を−Ｋ軸方向側に押す。これにより、液体収容体５０及び可動部材４０は接続方向（−Ｋ１軸方向）に移動する。
【０１１７】
図２１に示すように、可動部材４０が固定部材３５に収容された着脱ユニット３０の第２の状態では、液体供給部５７内に液体導入部３６２（図１９）が挿入（接続）される。また、第２の状態では、回路基板５８２の端子５８１（図１３）と電気接続部３８２の装置側端子３８１（図６）とが接触することで、回路基板５８２と電気接続部３８２とが電気的に接続される。
【０１１８】
Ａ−５．効果：
上記実施形態によれば、プリンター１０との接続に必要な位置決め部５６と収容体側電気接続部５８（回路基板保持部５９）とが、操作部材５３に一体的に設けられている（図９）。これにより、液体収容体５０をプリンター１０に接続するために他の部品（例えば、液体収容体５０を装着するためのケース）を設ける必要が無い。これにより、少ない部品点数で液体収容体５０をプリンター１０に接続するための機能を達成できる。また、位置決め部５６と収容体側電気接続部５８（回路基板保持部５９）とが操作部材５３に一体的に設けられていることで、プリンター１０に液体収容体５０（液体収容袋ユニット５０）を接続するときに、操作部材５３を把持して液体収容体５０を操作できるため、操作部材５３が無いものに比べて操作性が良い。
【０１１９】
また、液体収容体５０をケースに予め装着する必要が無いので、液体収容体５０をプリンター１０に接続する工程を簡略化できる。また、ケースが不要であるため液体収容体５０を小型化できる。更に、ケースが不要であるため、インクが消費された液体収容部５２を容易に小さくして処分できる。
【０１２０】
また、上記実施形態によれば、液体収容部５２は液体収容体５０の外部から視認可能な状態で、液体収容部５２は操作部材５３に取り付けられている（図７）。これにより、容積変化や形状変化やインク量の変化などの液体収容部５２の状態の変化から液体収容部５２に収容されたインクの量を外部から認識し易くできる。
【０１２１】
また、上記実施形態によれば、位置決め部５６及び回路基板保持部５９は操作部材５３の第１側５３ｆａに設けられ、操作部材５３を挟んで位置決め部５６及び回路基板保持部５９と対向する第２側５３ｆｂには押圧部５４５が設けられている（図９及び図１２）。これにより、プリンター１０に対する位置決めを行うための位置決め部５６及び回路基板保持部５９と、プリンター１０に液体収容体５０を接続するときに押圧される押圧部５４５とを外部から視認し易くできる。よって、プリンター１０への液体収容体５０の接続操作を容易に行うことができる。
【０１２２】
液体収容体５０が落下した場合、インクが収容された重量の大きい液体収容部５２が操作部材５３よりも下方になる姿勢で落下する可能性が高い。上記実施形態によれば、位置決め部５６の少なくとも一部は、液体供給口５７２の液体収容部５２側（−Ｚ軸方向側）に設けられている（図７及び図１３）。これにより、液体収容体５０が落下した場合であっても、位置決め部５６によって液体供給口５７２が地面などの対象物に衝突する可能性を低減できる。よって、液体供給口５７２が破損する可能性を低減できる。
【０１２３】
また、上記実施形態によれば、回路基板保持部５９の少なくとも一部は、回路基板５８２の液体収容部５２側（−Ｚ軸方向側）に設けられている（図７及び図１３）。これにより、液体収容体５０が落下した場合であっても、回路基板保持部５９によって回路基板５８２が地面などの対象物に衝突する可能性を低減できる。よって、回路基板５８２が破損する可能性を低減できる。
【０１２４】
また、上記実施形態によれば、液体供給部５７に対して把持面５４１を液体供給部５７の中心軸ＣＴ方向に垂直な方向（＋Ｚ軸方向）に配置させたときに、把持面５４１が液体供給口５７２に対し中心軸ＣＴ方向にオフセットするように操作部材５３は設けられている（図１５）。これにより、利用者は、操作部材５３の把持部５４を持ち、液体収容体５０をプリンター１０に装着するとき、液体供給口５７２が操作部材５３に隠れずに視認可能となる。よって、利用者は、液体収容体５０をプリンター１０に容易に装着できる。また、利用者は、操作部材５３を把持して液体収容体５０を取り扱うので、利用者が液体収容部５２に触れる可能性を低減できる。これにより、液体収容部５２が破損して内部に収容されたインクが外部に漏れ出す可能性を低減できる。
【０１２５】
また、上記実施形態によれば、液体供給ユニット５５が操作部材５３から外方（−Ｋ１軸方向）に突出して設けられている（図９及び図１０）。これにより、利用者は、液体供給ユニット５５の突出方向が、液体収容体５０をプリンター１０に接続するための接続方向（図９）であると容易に認識できる。よって、利用者は、液体収容体５０をプリンター１０に更に容易に装着できる。
【０１２６】
また、上記実施形態によれば、液体収容体５０は位置決め部５６を有する（図９）。これにより、位置決め部５６によって液体供給部５７を含めた液体収容体５０のプリンター１０に対するある程度の位置決めがなされるため、液体収容体５０をプリンター１０に適切な状態（正しい装着状態）で装着することができる。
【０１２７】
また、上記実施形態によれば、基板ユニット５８は、把持面５４１を液体供給部５７の中心軸ＣＴ方向に垂直な方向（＋Ｚ軸方向）に配置させたとき、把持面５４１に対しオフセットするように設けられている（図１５）。これにより、利用者が、操作部材５３の把持面５４１を持ち、液体収容体５０をプリンター１０に装着するとき、基板ユニット５８が視認可能である。よって、利用者は、液体収容体５０をプリンター１０に更に容易に装着できる。
【０１２８】
また、上記実施形態によれば、基板ユニット５８の突出方向（−Ｋ１軸方向）と、液体供給部５７の突出方向（−Ｋ１軸方向）とは、同じである（図９及び図１０）。これにより、液体収容体５０をプリンター１０に装着するときに、基板ユニット５８及び液体供給部５７を利用者は同時に認識し易くなる。これにより、液体供給部５７のプリンター１０への接続と、基板ユニット５８のプリンター１０への電気的な接続を容易に行うことができる。また、利用者が操作部材５３の把持面５４１を持ち、液体収容体５０をプリンター１０に装着するとき、図１９に示すように、基板ユニット５８のプリンター１０への接続方向（−Ｋ１軸方向）と、液体供給部５７のプリンター１０への接続方向（−Ｋ１軸方向）とが同じであると認識できる。よって、利用者は、液体収容体５０をプリンター１０に更に容易に装着できる。更に、液体供給部５７をプリンター１０に接続することで、基板ユニット５８のプリンター１０への電気的接続も行うことができる。
【０１２９】
また、上記実施形態によれば、基板ユニット５８と液体供給ユニット５５とは、把持面５４１と平行な方向であって、且つ、中心軸ＣＴと直交する方向であるＫ２軸方向に並んで設けられている（図９及ぶ図１０）。これにより、接続方向（−Ｋ１軸方向）と直交する方向に両ユニット５８，５５が並ぶため、基板ユニット５８と電気接続部３８２との電気的な接続と、液体供給部５７のプリンター１０への接続とを、さらに容易に行うことができる。
【０１３０】
また、上記実施形態によれば、液体供給ユニット５５（詳細には、位置決め部５６）と収容体側電気接続部５８（回路基板保持部５９）とが連結部材５３Ａによって連結されている（図１７Ａ）。これにより、利用者が把持部５４を把持して連結部材５３Ａを移動させることで、液体供給ユニット５５と回路基板保持部５９とが連結部材５３Ａの動きに連動する。これにより、液体供給ユニット５５と収容体側電気接続部５８（回路基板保持部５９）との動きが連動することで、各部５５，５９をプリンター１０の対応する部分３６，３８（図６）に対してそれぞれ独立して接続する必要が無い。よって、液体供給ユニット５５と回路基板保持部５９とのプリンター１０への接続を容易に行うことができる。すなわち、液体供給部５７のプリンター１０への接続と、接触部ｃｐの装置側電気接続部３８２への接触とを容易に行うことができる。
【０１３１】
ここで、連結部材５３Ａは把持可能な把持部５４を有するので、連結部材５３Ａや連結部材５３Ａに接合された部材（例えば、接合部５４９）には外力が加わり易い。上記実施形態によれば、図１７Ａに示すように、液体供給部５７は接合部５４９に一体成形されている。すなわち、液体供給部５７は接合部５４９に接続されている。また、図１７Ａに示すように、連結部材５３Ａは第２部材５３Ｂに組み付けられることで、接合部５４９と連結する。これにより、液体収容部５２のうち接合部５４９に取り付けられた部分以外（主要部分）に外力が加えられる可能性を低減できるため、液体収容部５２の主要部分が損傷する可能性を低減できる。よって、液体収容部５２に収容されたインクが外部に漏れ出す可能性を低減できる。
【０１３２】
また、上記実施形態によれば、図１７Ｂに示すように、把持部５４を有する連結部材５３Ａと、液体収容部５２に取り付けられる接合部５４９とを備える第２部材５３Ｂとが別部材によって構成されている。そして、第２部材５３Ｂの突出部５１７に設けられた係合部５１３と、連結部材５３Ａに設けられた係合部５１１とが係合することで連結部材５３Ａと第２部材５３Ｂとが連結する。すなわち、液体収容部５２に取り付けられた接合部５４９と、連結部材５３Ａとを別部材によって形成できるため、設計の自由度が向上する。例えば、連結部材５３Ａの係合部５１１を第２部材５３Ｂの係合部５１１に対応させた形状にしておけば、異なる形状の連結部材５３Ａを第２部材５３Ｂに連結できる。
【０１３３】
また、上記実施形態によれば、図１７Ｂに示すように連結部材５３Ａの係合部５１１は、第２部材５３Ｂの係合部５１３と係合することで、連結部材５３Ａと第２部材５３Ｂとの間の位置決めが行われる。すなわち、部材位置決め部としての係合部５１１によって、液体供給部５７と収容体側電気接続部５８（回路基板５８２）との間の位置決めを容易に行うことができる。これにより、液体供給部５７と回路基板５８２とのプリンター１０への接続を精度良く行うことができる。すなわち、液体供給部５７のプリンター１０への接続と、接触部ｃｐの装置側電気接続部３８２への接触とを精度良く行うことができる。
【０１３４】
また、上記実施形態によれば、図１７Ｂに示すように部材位置決め部としての係合部５１１は、液体供給部５７の中心軸ＣＴに沿った方向（Ｋ１軸方向）を取り囲む外形形状（詳細には略矩形状）を有する。これにより、液体供給部５７が設けられた第２部材５３Ｂと、回路基板５８２（接触部ｃｐ）が設けられた第１部材５３Ａとの間の中心軸ＣＴと垂直な方向（Ｚ軸方向とＫ２軸方向とで規定される面内方向）の位置ズレを抑制できる。
【０１３５】
また、上記実施形態によれば、図１７Ｂに示すように連結部材５３Ａは重力方向（Ｚ軸方向）に交差する方向（Ｋ２軸方向）に並んだ３つの係合部５１１Ａ，５１１Ｂ，５１１Ｃを有する。これにより、利用者が把持部５４を把持したときに、液体収容部５２の自重によって生じる荷重が３つの係合部５１１Ａ，５１１Ｂ，５１１Ｃに対して分散してかかるので、係合部５１１が損傷する可能性を低減できる。
【０１３６】
また、上記実施形態によれば、図１７Ｃに示すように、係合部５１１Ａと係合部５１１Ｂ、又は、係合部５１１Ａと係合部５１１Ｃは、接合部５４９の長手方向（Ｋ２軸方向）において、液体供給部５７を挟む位置に設けられている。これにより、液体収容部５２の自重によって生じる荷重が連結部材５３Ａ及び第２部材５３Ｂのうち液体供給部５７を挟んだ両側にかかる。よって、液体供給部５７に対して接合部５４９の一方の側（＋Ｋ２軸方向側）が他方の側（−Ｋ２軸方向側）に比べて大きく傾く（大きく変形する）可能性を低減できる。よって、液体供給部５７の位置ズレを抑制できることから、液体供給部５７を精度良くプリンター１０に接続できる。
【０１３７】
また、上記実施形態によれば、図１７Ｃに示すように、係合部５１１Ｂと係合部５１１Ｃ、又は、係合部５１１Ａと係合部５１１Ｃとは、接合部５４９の長手方向（Ｋ２軸方向）において、回路基板５８２（接触部ｃｐ）を挟む位置に設けられている。これにより、液体収容部５２の自重によって生じる荷重が連結部材５３Ａ及び第２部材５３Ｂのうち回路基板５８２（接触部ｃｐ）を挟んだ両側にかかる。よって、回路基板５８２（接触部ｃｐ）に対して接合部５４９の一方の側（＋Ｋ２軸方向側）が他方の側（−Ｋ２軸方向側）に比べて大きく傾く（大きく変形する）可能性を低減できる。よって、接触部ｃｐの位置ズレを抑制できることから、接触部ｃｐを精度良くプリンター１０に接触できる。
【０１３８】
また、上記実施形態によれば、図８Ａに示すように、把持部５４の幅Ｗ５２は、接合部５４９の幅Ｗ５４９よりも小さく、液体供給ユニット５５と基板ユニット５８とは把持部５４の両側の端部５４Ａ，５４Ｂの間に位置する。これにより、利用者が把持部５４を把持したときに、液体供給ユニット５５と基板ユニット５８とを確実に把持部５４によって支持できる。
【０１３９】
また、上記実施形態によれば、図１７Ａに示すように、ハンドル部５３Ａと、液体供給部５７とは別部材で形成されている。液体収容体５０の設計の自由度が向上する。例えば、液体収容部５２に収容するインクの種類に変更が生じることで液体供給部５７の材料を変更する必要が生じた場合でも、ハンドル部５３Ａの材料は変更する必要が無い。例えば、インクの種類を変更することで、従来用いていた液体供給部５７が変更したインク中に大量に溶出する場合がある。この場合、液体供給部５７を変更したインクに対して耐薬品性を有する材料によって形成し直す必要が生じる。しかしながら、本実施形態では液体供給部５７を備える第２部材５３Ｂと、把持部５４を備えるハンドル部５３Ａとが別部材であるため、ハンドル部５３Ａの材料は変更する必要が無い。すなわち、ハンドル部５３Ａと液体供給部５７とを用途に応じた材料で別々に作成できる。
【０１４０】
また、上記実施形態によれば、液体供給部５７は、液体収容部５２が収容するインクに対して耐性のある材料で形成される。これにより、液体供給部５７がインクによって劣化（破損）する可能性を低減できる。また、液体供給部５７の一部がインク中に溶出する等のプリンター１０側へ供給されるインク中に不純物が発生する可能性を低減できる。
【０１４１】
また、ハンドル部５３Ａは、利用者によって把持されることで外力を直接に受ける部分である。上記実施形態によれば、ハンドル部５３Ａは耐変形性又は耐クリープ性に優れた材料で形成されているので、ハンドル部５３Ａの変形を抑制できる。また、ハンドル部５３Ａには、位置決め部５６や回路基板保持部５９が接続されている。両部材５６，５９はプリンター１０に液体収容体５０を接続する際に、プリンター１０に対する位置決め等を行う重要な部分である。ハンドル部５３Ａの変形を抑制することで、両部材５６，５９のハンドル部５３Ａに対する位置ズレを抑制できる。よって、液体収容体５０をプリンター１０に良好に接続できる。
【０１４２】
また、上記実施形態によれば、図１５及び図１７Ｂに示すように、液体収容体５０はハンドル部５３Ａを挟んで液体供給ユニット５５と反対側の位置には押圧部５４５を備える。これにより、利用者が押圧部５４５を押すことで液体供給部５７のプリンター１０への接続を容易にできる。
【０１４３】
また、上記実施形態によれば、図１７Ａに示すように、ハンドル部５３Ａと、押圧部５４５を形成する第３部材５３Ｃとは別部材を用いて形成されている。これにより、液体収容体５０の設計の自由度が向上する。例えば、ハンドル部５３Ａの形状や大きさに拘わらず、押圧部５４５の形状や面積を自由に設定できる。よって、押圧部５４５の一部を液体収容部５２と重なるように配置することも可能となる。押圧部５４５の一部を液体収容部５２と重なるように配置することで、限られたスペースを有効に利用して押圧部５４５の外形を大きくしつつ、液体収容部５２の容積を一定以上に確保できる。
【０１４４】
また、上記実施形態によれば、押圧部５４５は、液体収容部５２に収容されたインクの色を識別するための外観を呈している。具体的には、本実施形態では、押圧部５４５を含む第３部材５３Ｃ（図１７Ｂ）がインクの色で着色されている。これにより、利用者は、第３部材５３Ｃを視認することで液体収容部５２に収容されているインクの色を容易に識別できる。また、液体収容部５２に収容する色に変更が生じた場合でも、第３部材５３Ｃのみを取り換えれば良い。また、押圧部５４５の色は、接続用部材４０（図５）の色と同じ色である。よって、利用者は、押圧部５４５を視認することで、液体収容体５０と対応する接続用部材４０を容易に識別できる。よって、本来装着されるべきではない異なる色を収容する液体収容体５０が誤ってプリンター１０に接続される可能性を低減できる。
【０１４５】
Ｂ．変形例：
なお、この発明は上記の実施例や実施形態に限られるものではなく、その要旨を逸脱しない範囲において種々の態様において実施することが可能であり、例えば次のような変形も可能である。
【０１４６】
Ｂ−１．第１変形例：
上記実施形態では、液体収容部５２は可撓性を有する部材によって形成されていたが、これに限定されるものではなく、液体を内部に収容可能な液体収容部として機能できれば良い。例えば、液体収容部５２は一部が可撓性を有する部材によって形成されていても良いし、液体の消費量に拘わらず容積が変化しない硬質な部材によって形成されていても良い。液体収容袋５２（液体収容部５２）の少なくとも一部が可撓性を有する部材によって形成されることで、液体収容部５２に収容されているインク量に応じて液体収容部５２の容積は変化する。
【０１４７】
Ｂ−２．第２変形例：
上記実施形態では、操作部材５３は枠状であったが（図１３）、形状はこれに限定されるものではなく、利用者によって把持できる形状であれば良い。例えば、操作部材５３は、Ｚ軸方向に沿って延びる棒状（板状）であっても良い。
【０１４８】
Ｂ−３．第３変形例：
上記実施形態では、図１７Ｂに示すように３つの部材５３Ａ，５３Ｂ，５３Ｃを組み合わせることで、ハンドル部５３Ａ、液体供給ユニット５５、回路基板保持部５９等が形成されていたが、これに限定されるものではない。例えば、３つの部材５３Ａ，５３Ｂ、５３Ｃを組み合わされて形成される組立体を、一体的に形成しても良い。一体的な形成方法としては、一体成形や各部材５３Ａ，５３Ｂ，５３Ｃを接着剤等によって取り付ける方法等が挙げられる。これにより、液体収容体５０の製造を容易にできる。また、液体供給ユニット５５と基板ユニット５８とが一体的に形成できるため、両ユニット５５，５８間の位置決めを精度良く行うことができる。また、連結部材５３Ａと接合部５４９とを一体的に形成できる。これにより、利用者が連結部材５３Ａを把持したときに、液体収容部５２の重みによって接合部５４９と連結部材５３Ａとが分離する可能性を低減できる。また、利用者が連結部材５３Ａを把持したときに、液体収容部５２の自重によって生じる荷重が接合部５４９を介して連結部材５３Ａにかかる。これにより、液体収容部５２自体に加わる外力を低減できるため、液体収容部５２が損傷する可能性を低減できる。
【０１４９】
Ｂ−４．第４変形例：
本発明は、インクジェットプリンター及びその液体収容体５０に限らず、インク以外の他の液体を噴射する任意の印刷装置（液体消費装置）及びその液体を収容するための液体収容体にも適用することができる。例えば、以下のような各種の液体消費装置及びその液体収容体に適用可能である。
（１）ファクシミリ装置等の画像記録装置
（２）液晶ディスプレイ等の画像表示装置用のカラーフィルタの製造に用いられる色材噴射装置
（３）有機ＥＬ(Electro Luminescence)ディスプレイや、面発光ディスプレイ (Field Emission Display、ＦＥＤ)等の電極形成に用いられる電極材噴射装置
（４）バイオチップ製造に用いられる生体有機物を含む液体を噴射する液体消費装置
（５）精密ピペットとしての試料噴射装置
（６）潤滑油の噴射装置
（７）樹脂液の噴射装置
（８）時計やカメラ等の精密機械にピンポイントで潤滑油を噴射する液体消費装置
（９）光通信素子等に用いられる微小半球レンズ（光学レンズ）などを形成するために紫外線硬化樹脂液等の透明樹脂液を基板上に噴射する液体消費装置
（１０）基板などをエッチングするために酸性又はアルカリ性のエッチング液を噴射する液体消費装置
（１１）他の任意の微小量の液滴を吐出させる液体噴射ヘッドを備える液体消費装置
【０１５０】
なお、「液滴」とは、液体消費装置から吐出される液体の状態をいい、粒状、涙状、糸状に尾を引くものも含むものとする。また、ここでいう「液体」とは、液体消費装置が噴射させることができるような材料であれば良い。例えば、「液体」は、物質が液相であるときの状態の材料であれば良く、粘性の高い又は低い液状態の材料、及び、ゾル、ゲル水、その他の無機溶剤、有機溶剤、溶液、液状樹脂、液状金属（金属融液）のような液状態の材料も「液体」に含まれる。また、物質の一状態としての液体のみならず、顔料や金属粒子などの固形物からなる機能材料の粒子が溶媒に溶解、分散または混合されたものなども「液体」に含まれる。また、液体の代表的な例としては上記実施形態で説明したようなインクや液晶等が挙げられる。ここで、インクとは一般的な水性インクおよび油性インク並びにジェルインク、ホットメルトインク等の各種の液体状組成物を包含するものとする。また、紫外線を照射して硬化可能なＵＶインクをこの液体収容体に収容してプリンターに接続した場合は、設置面から液体収容部が浮くため、設置面の熱が液体収容部に伝って硬化する可能性が低減する。
【０１５１】
Ｂ−５．第５変形例：
上記実施形態では、収容体側電気接続部５８は回路基板５８２を備えていたが、これに限定されるものではなく、装置側電気接続部３８２と接触可能な接触部ｃｐを有していれば良い。例えば、回路基板５８２は記憶装置５８３を備えていなくても良い。例えば、収容体側電気接続部５８は、液体収容体５０の着脱検出に用いられる端子の接触部を備えていても良い。また、収容体側電気接続部５８は、フレキシブルプリント基板（ＦＰＣ）のようなフレキシブルなケーブルを含む回路基板全般を備えていても良い。この回路基板は装置側電気接続部３８２と接触可能な接触部を一端側に有する。他端側は例えばリセット装置につながる。上記の変形例は、回路基板５８２に代えて採用しても良いし、回路基板５８２と共に採用しても良い。
【０１５２】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【０１５３】
１０…プリンター
１１…記録機構
１６…給紙トレイ
１７…排出トレイ
２０…液体供給装置
２０Ａ…第１の液体供給装置
２０Ｂ…第２の液体供給装置
２２…カバー部材
２２Ａ…カバー部材
２２Ｂ…カバー部材
２３…一端部
２４…他端部
２６…収容空間部
２６Ａ…収容空間部
２６Ｂ…収容空間部
３０（３０Ｃ，３０Ｋ，３０Ｍ，３０Ｙ）…着脱ユニット
３５…固定部材
３６…液体導入機構
３８…接点機構
４０…可動部材（接続用部材）
４１…基部
４２…供給部支持部
４８…基板支持部
５０（５０Ｃ，５０Ｋ，５０Ｍ，５０Ｙ）…液体収容体
５１Ｗ…周縁領域
５１Ｙ…周縁領域
５２…液体収容部（液体収容袋）
５３…操作部材
５３Ａ…第１部材（連結部材、ハンドル部）
５３Ｂ…第２部材（押圧用部材）
５３Ｃ…第３部材
５３ｆａ…第１側
５３ｆｂ…第２側
５４…把持部
５４Ａ…一端部
５４Ｂ…他端部
５５…液体供給ユニット（液体供給部）
５６…位置決め部
５７…液体供給部（流通部）
５８…基板ユニット（収容体側電気接続部）
５９…回路基板保持部
７０…流路部材
９９…フィルム
１０２…装置第１面
１０４…装置第２面
１０６…装置第３面
３０２…ネジ
３６２…液体導入部
３６６（３６６ａ〜３６６ｄ）…位置決め突起
３８１…装置側端子
３８２…電気接続部
３８４…装置側基板位置決め部
３８５…装置側位置決め部
４０２…第１支持面部
４０３…第２支持面部
４０４…第３支持面部
４０６…切欠き部
４０７…溝部
４８２…第１基板支持面部
５０１…一端
５０３…第１側端
５０４…第２側端
５１１……部材位置決め部（係合部、支持部）
５１１Ａ…係合部（支持部）
５１１Ｂ…係合部（支持部）
５１１Ｃ…係合部（支持部）
５１１Ｄａ，５１１Ｄｂ…係止爪
５１３…係合部
５１３Ａ…係合部
５１３Ｂ…係合部
５１３Ｃ…係合部
５１３Ｄａ…貫通孔
５１５…係合部
５１７…突出部
５２１…第１のシート
５２２…第２のシート
５２３…第３のシート
５４１…把持面
５４２…受入空間部
５４５…押圧部
５４６…第１の接続部
５４７…第２の接続部
５４８…基部
５４９…取付部
５５０…導出部
５５１…弁機構
５５２…弁座
５５４…弁体
５５６…バネ
５５８…内部流路
５７２…液体供給口
５７３…供給接続部
５８１…端子
５８２…回路基板
５８３…記憶装置
５８８…部材係合部
５９２…第１の側壁部
５９２ｔ…溝部
５９３…第２の側壁部
５９３ｔ…溝部
５９４…底部
１０００…液体消費システム
ＣＴ…中心軸
ＣＬ…中心軸
ｃｐ…接触部
【図１】
2019107901.tif 000003
【図２】
2019107901.tif 000004
【図３】
2019107901.tif 000005
【図４】
2019107901.tif 000006
【図５】
2019107901.tif 000007
【図６】
2019107901.tif 000008
【図７】
2019107901.tif 000009
【図８】
2019107901.tif 000010
【図８Ａ】
2019107901.tif 000011
【図８Ｂ】
2019107901.tif 000012
【図９】
2019107901.tif 000013
【図１０】
2019107901.tif 000014
【図１１】
2019107901.tif 000015
【図１２】
2019107901.tif 000016
【図１３】
2019107901.tif 000017
【図１４】
2019107901.tif 000018
【図１５】
2019107901.tif 000019
【図１６】
2019107901.tif 000020
【図１６Ａ】
2019107901.tif 000021
【図１６Ｂ】
2019107901.tif 000022
【図１６Ｃ】
2019107901.tif 000023
【図１７Ａ】
2019107901.tif 000024
【図１７Ｂ】
2019107901.tif 000025
【図１７Ｃ】
2019107901.tif 000026
【図１７Ｄ】
2019107901.tif 000027
【図１７Ｅ】
2019107901.tif 000028
【図１７Ｆ】
2019107901.tif 000029
【図１８】
2019107901.tif 000030
【図１９】
2019107901.tif 000031
【図２０】
2019107901.tif 000032
【図２１】
2019107901.tif 000033
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
液体消費装置に着脱可能に接続可能な液体収容体であって、
シート部材を有する液体収容部と、
前記液体収容部の一端部に取り付けられた操作部材と、を備え、
前記操作部材は、一の部材を他の部材によって挟むように組み合わされることによって構成され、
前記一の部材に、前記液体収容部の液体を前記液体消費装置に流通させるための液体供給部と、前記シート部材が接合された接合部と、が設けられ、
前記他の部材に、前記液体消費装置に設けられた装置側電気接続部に接続可能な接触部を有する収容体側電気接続部が設けられた、液体収容体。
【請求項２】
請求項１に記載の液体収容体であって、
前記他の部材に、利用者の手を受け入れるための受入空間部が形成する支持部が設けられた、液体収容体。
【請求項３】
請求項１又は請求項２に記載の液体収容体であって、
前記液体収容部は、前記液体収容体の外部から視認可能な状態で前記操作部材に取り付けられた、液体収容体。
【請求項４】
請求項１から請求項３までのいずれか一項に記載の液体収容体であって、
前記収容体側電気接続部のうち前記接触部と異なる少なくとも一部は、前記の前記液体収容部側に設けられた、液体収容体。
【手続補正２】
【補正対象書類名】明細書
【補正対象項目名】０００６
【補正方法】変更
【補正の内容】
【０００６】
本発明は、上述の課題の少なくとも一部を解決するためになされたものであり、以下の形態として実現することが可能である。
［形態１］
液体消費装置に着脱可能に接続可能な液体収容体であって、
シート部材を有する液体収容部と、
前記液体収容部の一端部に取り付けられた操作部材と、を備え、
前記操作部材は、一の部材を他の部材によって挟むように組み合わされることによって構成され、
前記一の部材に、前記液体収容部の液体を前記液体消費装置に流通させるための液体供給部と、前記シート部材が接合された接合部と、が設けられ、
前記他の部材に、前記液体消費装置に設けられた装置側電気接続部に接続可能な接触部を有する収容体側電気接続部が設けられた、液体収容体。